(57)【特許請求の範囲】
【請求項１】
所定の長さに区分された１−７pp変調後のデータに同期パターンが付加されてフレームが構成され、複数の前記フレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の同期パターンが含まれるポストアンブル部が付加されてクラスタが構成され、前記クラスタを単位として情報が記録されている記録媒体において、
前記データ部の同期パターンには存在しない所定の同期パターンが、前記プリアンブル部及びポストアンブル部を構成するフレームにそれぞれ含まれ、前記所定の同期パターンが前記フレーム内で連続して構成されるとともに、前記プリアンブル部及びポストアンブル部のフレームに含まれる前記同期パターンの先頭ビットが、直前のフレームのデータを対象とした１−７pp変調の規則を守るように０と１とで切り替えられる
ことを特徴とする記録媒体。
【請求項２】
前記プリアンブル部には、前記データ部に存在する前記同期パターンと同一の前記同期パターンも含まれる
ことを特徴とする請求項１に記載の記録媒体。
【請求項３】
前記データ部から、連続する２つの前記同期パターンを任意に選択した場合、１つおきに２つ前記同期パターンを任意に選択した場合、２つおきに２つ前記同期パターンを任意に選択した場合、３つおきに２つ前記同期パターンを任意に選択した場合、および４つおきに２つ前記同期パターンを任意に選択した場合のうち、少なくとも３つの場合において、それぞれの組み合わせが相互に異なるように前記データ部の各フレームに対して前記同期パターンが付加されている
ことを特徴とする請求項１に記載の記録媒体。
【請求項４】
所定の長さに区分された１−７pp変調後のデータに同期パターンが付加されてフレームが構成され、複数の前記フレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の複数の同期パターンが含まれるポストアンブル部が付加されてクラスタが構成され、前記クラスタを単位として情報が記録されている、前記データ部の同期パターンには存在しない所定の同期パターンが、前記プリアンブル部及びポストアンブル部を構成するフレームにそれぞれ含まれ、前記所定の同期パターンが前記フレーム内で連続して構成されるとともに、前記プリアンブル部及びポストアンブル部のフレームに含まれる前記同期パターンの先頭ビットが、直前のフレームのデータを対象とした１−７pp変調の規則を守るように０と１とで切り替えられる記録媒体を再生する記録媒体再生装置において、
前記同期パターンを検出する同期パターン検出手段と、
前記同期パターン検出手段により検出された少なくとも２つの前記同期パターンの組み合わせから前記プリアンブル部、または前記データ部の前記フレームを特定する再生位置特定手段と
を備えることを特徴とする記録媒体再生装置。
【請求項５】
所定の長さに区分された１−７pp変調後のデータに同期パターンが付加されてフレームが構成され、複数の前記フレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の複数の同期パターンが含まれるポストアンブル部が付加されてクラスタが構成され、前記クラスタを単位として情報が記録されている、前記データ部の同期パターンには存在しない所定の同期パターンが、前記プリアンブル部及びポストアンブル部を構成するフレームにそれぞれ含まれ、前記所定の同期パターンが前記フレーム内で連続して構成されるとともに、前記プリアンブル部及びポストアンブル部のフレームに含まれる前記同期パターンの先頭ビットが、直前のフレームのデータを対象とした１−７pp変調の規則を守るように０と１とで切り替えられる記録媒体を再生する記録媒体再生装置の記録媒体再生方法において、
前記同期パターンを検出する同期パターン検出ステップと、
前記同期パターン検出ステップの処理により検出された少なくとも２つの前記同期パターンの組み合わせから前記プリアンブル部、または前記データ部の前記フレームを特定する再生位置特定ステップと
を含むことを特徴とする記録媒体再生方法。
【請求項６】
データ部とプリアンブル部及びポストアンブル部を含む情報を記録媒体に記録する記録媒体記録装置において、
１−７pp変調を行うことによって所定の長さに区分された１−７pp変調後のデータを出力する変調手段と、
１−７pp変調後のデータに同期パターンが付加されて構成されるフレームより構成される前記データ部を構成する各フレームに同期パターンを付加すると供に、前記プリアンブル部を構成する各フレームに、前記データ部の同期パターンには存在しない所定の同期パターンを連続させて含めるように付加し、前記ポストアンブル部を構成する各フレームに、前記データ部の同期パターンには存在しない同一の前記同期パターンを連続させて含めるように付加する同期パターン付加手段を備え、
前記同期パターン付加手段は、前記プリアンブル部及びポストアンブル部のフレームに含まれる前記同期パターンの先頭ビットを、直前のフレームのデータを対象とした１−７pp変調の規則を守るように０と１とを切り替える
ことを特徴とする記録媒体記録装置。
【請求項７】
データ部とプリアンブル部及びポストアンブル部を含む情報を記録媒体に記録する記録媒体記録装置の記録媒体記録方法において、
１−７pp変調を行うことによって所定の長さに区分された１−７pp変調後のデータを出力する変調ステップと、
１−７pp変調後のデータに同期パターンが付加されて構成されるフレームより構成される前記データ部を構成する各フレームに同期パターンを付加すると供に、前記プリアンブル部を構成する各フレームに、前記データ部の同期パターンには存在しない所定の同期パターンを連続させて含めるように付加し、前記ポストアンブル部を構成する各フレームに、前記データ部の同期パターンには存在しない同一の前記同期パターンを連続させて含めるように付加する同期パターン付加ステップと
を含み、
前記同期パターン付加ステップの処理においては、前記プリアンブル部及びポストアンブル部のフレームに含まれる前記同期パターンの先頭ビットが、直前のフレームのデータを対象とした１−７pp変調の規則を守るように０と１が切り替えられる
ことを特徴とする記録媒体記録方法。
【発明の詳細な説明】
【０００１】
【発明の属する技術分野】
本発明は、記録媒体、記録媒体再生装置、記録媒体再生方法、記録媒体記録装置、および記録媒体記録方法に関し、特に、記録媒体を再生する際に、再生位置を容易に検出できるようにした記録媒体、記録媒体再生装置、記録媒体再生方法、記録媒体記録装置、および、記録媒体記録方法に関する。
【０００２】
【従来の技術】
従来、光ディスク装置においては、連続するデータ間に同期パターンを挿入することにより、この同期パターンを基準にしてクロックの同期外れを補正し、正しくデータ再生できるようになされている。さらに光ディスク装置では、１セクタを構成するフレーム数に比して数の少ない、複数種類の同期パターンを組み合わせて使用することにより、同期パターンによる冗長度の増大を有効に回避すると共に、これら同期パターンの再生結果に基づいて各フレームを特定できるようになされている。
【０００３】
【発明が解決しようとする課題】
しかしながら、このような光ディスク装置においては、光ディスクからのデータの読み出し速度の高速化に伴って、同期パターンの検出エラーを起こすことがあるという課題があった。
【０００４】
本発明は、このような状況に鑑みてなされたものであり、的確に同期パターンを検出できるようにするものである。
【０００５】
【課題を解決するための手段】
本発明の記録媒体は、所定の長さに区分された１−７pp変調後のデータに同期パターンが付加されてフレームが構成され、複数のフレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の同期パターンが含まれるポストアンブル部が付加されてクラスタが構成され、クラスタを単位として情報が記録される記録媒体であって、データ部の同期パターンには存在しない所定の同期パターンが、プリアンブル部及びポストアンブル部を構成するフレームにそれぞれ含まれ、所定の同期パターンがフレーム内で連続して構成されるとともに、プリアンブル部及びポストアンブル部のフレームに含まれる同期パターンの先頭ビットが、直前のフレームのデータを対象とした１−７pp変調の規則を守るように０と１とで切り替えられることを特徴とする。
【０００６】
前記プリアンブル部には、前記データ部に存在する前記同期パターンと同一の前記同期パターンも含まれるようにすることができる。
【０００７】
前記データ部から、連続する２つの前記同期パターンを任意に選択した場合、１つおきに２つ前記同期パターンを任意に選択した場合、２つおきに２つ前記同期パターンを任意に選択した場合、３つおきに２つ前記同期パターンを任意に選択した場合、および４つおきに２つ前記同期パターンを任意に選択した場合のうち、少なくとも３つの場合において、それぞれの組み合わせが相互に異なるように前記データ部の各フレームに対して前記同期パターンが付加されているようにすることができる。
【０００８】
本発明の記録媒体再生装置は、所定の長さに区分された１−７pp変調後のデータに同期パターンが付加されてフレームが構成され、複数のフレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の複数の同期パターンが含まれるポストアンブル部が付加されてクラスタが構成され、クラスタを単位として情報が記録されている、データ部の同期パターンには存在しない所定の同期パターンが、プリアンブル部及びポストアンブル部を構成するフレームにそれぞれ含まれ、所定の同期パターンがフレーム内で連続して構成されるとともに、プリアンブル部及びポストアンブル部のフレームに含まれる同期パターンの先頭ビットが、直前のフレームのデータを対象とした１−７pp変調の規則を守るように０と１とで切り替えられる記録媒体より、同期パターンを検出する同期パターン検出手段と、同期パターン検出手段により検出された少なくとも２つの同期パターンの組み合わせからプリアンブル部、またはデータ部のフレームを特定する再生位置特定手段とを備えることを特徴とする。
【０００９】
本発明の記録媒体再生方法は、所定の長さに区分された１−７pp変調後のデータに同期パターンが付加されてフレームが構成され、複数のフレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の複数の同期パターンが含まれるポストアンブル部が付加されてクラスタが構成され、クラスタを単位として情報が記録されている、データ部の同期パターンには存在しない所定の同期パターンが、プリアンブル部及びポストアンブル部を構成するフレームにそれぞれ含まれ、所定の同期パターンがフレーム内で連続して構成されるとともに、プリアンブル部及びポストアンブル部のフレームに含まれる同期パターンの先頭ビットが、直前のフレームのデータを対象とした１−７pp変調の規則を守るように０と１とで切り替えられる記録媒体より、同期パターンを検出する同期パターン検出ステップと、同期パターン検出ステップの処理により検出された少なくとも２つの同期パターンの組み合わせからプリアンブル部、またはデータ部のフレームを特定する再生位置特定ステップとを含むことを特徴とする。
【００１０】
本発明の記録媒体記録装置は、データ部とプリアンブル部及びポストアンブル部を含む情報を記録媒体に記録する記録媒体記録装置であって、１−７pp変調を行うことによって所定の長さに区分された１−７pp変調後のデータを出力する変調手段と、１−７pp変調後のデータに同期パターンが付加されて構成されるフレームより構成されるデータ部を構成する各フレームに同期パターンを付加すると供に、プリアンブル部を構成する各フレームに、データ部の同期パターンには存在しない所定の同期パターンを連続させて含めるように付加し、ポストアンブル部を構成する各フレームに、データ部の同期パターンには存在しない同一の同期パターンを連続させて含めるように付加する同期パターンを付加する同期パターン付加手段を備え、同期パターン付加手段は、プリアンブル部及びポストアンブル部のフレームに含まれる同期パターンの先頭ビットを、直前のフレームのデータを対象とした１−７pp変調の規則を守るように０と１とを切り替えることを特徴とする。
【００１１】
本発明の記録媒体記録方法は、データ部とプリアンブル部及びポストアンブル部を含む情報を記録媒体に記録する記録媒体記録装置の記録媒体記録方法であって、１−７pp変調を行うことによって所定の長さに区分された１−７pp変調後のデータを出力する変調ステップと、１−７pp変調後のデータに同期パターンが付加されて構成されるフレームより構成されるデータ部を構成する各フレームに、所定の順序で同期パターンを付加すると供に、プリアンブル部を構成する各フレームに、データ部の同期パターンには存在しない所定の同期パターンを連続させて含めるように付加し、ポストアンブル部を構成する各フレームに、データ部の同期パターンには存在しない同一の同期パターンを連続させて含めるように付加する同期パターン付加ステップとを含み、同期パターン付加ステップの処理においては、プリアンブル部及びポストアンブル部のフレームに含まれる同期パターンの先頭ビットが、直前のフレームのデータを対象とした１−７pp変調の規則を守るように０と１が切り替えられることを特徴とする。
【００１３】
本発明の記録媒体再生装置および方法においては、所定の長さに区分された１−７pp変調後のデータに同期パターンが付加されてフレームが構成され、複数のフレームによりデータ部が構成され、各データ部の先頭部分に、複数のフレームにより構成される、それぞれのフレームに同期パターンが含まれるプリアンブル部、各データ部の末尾部に、複数のフレームにより構成される、それぞれのフレームに同一の複数の同期パターンが含まれるポストアンブル部が付加されてクラスタが構成され、クラスタを単位として情報が記録されている、データ部の同期パターンには存在しない所定の同期パターンが、プリアンブル部及びポストアンブル部を構成するフレームにそれぞれ含まれ、所定の同期パターンがフレーム内で連続して構成されるとともに、プリアンブル部及びポストアンブル部のフレームに含まれる同期パターンの先頭ビットが、直前のフレームのデータを対象とした１−７pp変調の規則を守るように０と１とで切り替えられる記録媒体より、同期パターンが検出され、検出された少なくとも２つの同期パターンの組み合わせからプリアンブル部、またはデータ部のフレームが特定される。
【００１４】
本発明の記録媒体記録装置および方法においては、データ部を構成する各フレームに同期パターンが付加されると供に、プリアンブル部を構成する各フレームに、データ部の同期パターンには存在しない所定の同期パターンを連続させて含めるように付加され、ポストアンブル部を構成する各フレームに、データ部の同期パターンには存在しない同一の同期パターンを連続させて含めるように付加される。また、プリアンブル部及びポストアンブル部のフレームに含まれる同期パターンの先頭ビットが、直前のフレームのデータを対象とした１−７pp変調の規則を守るように０と１とが切り替えられる。
【００１７】
【発明の実施の形態】
図１は、本発明を適用した光ディスク装置１の構成の一例を示すブロック図である。
【００１８】
図１において、バッファ１２は、外部インターフェース１１を介して入力されたデータを、一時的に格納し、この情報を、適宜、各種情報/EDC（Error Detection Code）エンコード/付加部１３に供給する。また、バッファ１２は、各種情報/EDCデコード部２９より供給されたデータを、一時的に格納し、このデータを、適宜、外部インターフェース１１を介して、図示せぬ他の回路(装置)に供給する。
【００１９】
各種情報/EDCエンコード/付加部１３は、バッファ１２から供給されたデータに、各種情報を付加すると供に、エラー検出のためのEDCを付加し、出力するようになされている。スクランブル部１４は、各種情報/EDCエンコード/付加部１３から出力されたデータをスクランブルするようになされている。
【００２０】
ECC（Error Correction Code）エンコード部１５は、スクランブル部１４から出力されたデータに、エラー訂正のためのECCを付加する。変調部１６は、ADIPデコーダ２０より供給されるクラスタ同期信号に基づいて、ECCエンコード部１５から出力されたデータに所定の変調を施した後、同期パターンを付加し、磁界変調ドライバ１７に供給する。
【００２１】
すなわち、変調部１６内のアンブルデータ生成部３１は、プリアンブル、およびポストアンブルのデータを生成し、生成したプリアンブルとポストアンブルのデータを、ECCエンコード部１５より出力されたデータに付加し、遅延部３２、およびDSV決定演算部３３に供給する。なお、以下の説明において、プリアンブル、およびポストアンブルのそれぞれを、特に区別する必要がない場合、まとめて、アンブルと称する。
【００２２】
DSV(Digital Sum Value)決定演算部３３は、アンブルデータ生成部３１より出力されたデータに付加すべきDSVビットを演算決定する。遅延部３２は、アンブルデータ生成部３１から供給されたデータを一時的に保持し、所定のタイミングで、保持したデータをDSVビット付加部３４に供給する。DSVビット付加部３４は、遅延部３２より、所定のタイミングで供給されたデータに、DSV決定演算部３３により決定されたDSVビットを付加して、１−７pp(parity preserve)変調部３５に供給する。
【００２３】
１−７pp変調部３５は、DSVビット付加部３４より供給されたデータに、所定の変調処理を施した後、変調したデータをFS(Frame Sync)パターン付加部３６に供給する。
【００２４】
FSパターン付加部３６は、１−７pp変調部３５より供給されたデータに、フレーム毎の同期信号であるFSパターンを付加し、NRZI(Non Return to Zero Inverted)変調部３７に供給する。
【００２５】
NRZI変調部３７は、FSパターン付加部３６より供給されたデータを、“１”を反転とし、“０”を無反転として、NRZI変調し、磁界変調ドライバ１７に供給する。
【００２６】
磁界変調ドライバ１７は、変調部１６のNRZI変調部３７から供給されたデータに応じて、磁界用コイル１８を駆動し、光磁気ディスク１９の記録しようとする領域に対して磁界を印加する。
【００２７】
光ピックアップ２３は、記録用のレーザビームまたは再生用のレーザビームを光磁気ディスク１９に照射するとともに、光ディスク１９から反射された再生用のレーザビームを電気信号に光電変換し、ADIPデコーダ２０、およびRF処理部２４に供給する。
【００２８】
ADIPデコーダ２０は、光ピックアップ２３より供給された電気信号に含まれている、光磁気ディスク１９のプリグループに周波数変調により情報が記録されている、ディスク盤面位置情報（ADIP）信号を基に、変調中心周波数やクラスタ同期信号を生成する。このクラスタ同期信号を変調部１６に、変調中心周波数をスピンドル制御部２１に供給する。スピンドル制御部２１は、ADIPデコーダ２０より供給された変調中心周波数に基づいて、スピンドルモータ２２を制御する。スピンドルモータ２２は、スピンドル制御部２１からの制御に従って、光磁気ディスク１９を回転させる。
【００２９】
RF処理部２４は、光ピックアップ２３より供給された電気信号を基に、再生RF信号を生成し、出力するようになされている。
【００３０】
ビタビ復号部２５は、RF処理部２４より出力された再生RF信号をビタビ復号して、２値化データを生成し、この２値化データを、1-7ｐｐ復調部２６に供給する。
【００３１】
1-7ｐｐ復調部２６は、ビタビ復号部２５から出力された２値化データに対して、所定の復調処理を施し、得られたデータをECCデコード部２７に出力する。
【００３２】
ECCデコード部２７は、1-7ｐｐ復調部２６から供給されたデータに対して、エラー訂正処理を実行した後、デスクランブル部２８に供給する。
【００３３】
デスクランブル部２８は、ECCデコード部２７より出力されたデータをデスクランブルし、このデータを各種情報/EDCデコード部２９に出力する。
【００３４】
各種情報/EDCデコード部２９は、デスクランブル部２８より出力されたデータから、各種情報を抽出するとともに、EDCを抽出し、再生されたデータにエラーが含まれているか否かを判定する。その後、データを、バッファ１２に供給する。
【００３５】
次に、図２のフローチャートを参照しつつ、光ディスク装置１のデータの記録処理について説明する。
【００３６】
外部インターフェース１１を介して入力されたデータは、バッファ１２に一時的に格納された後、各種情報/EDCエンコード/付加部１３に出力される。ステップＳ１において、各種情報/EDCエンコード/付加部１３は、バッファ１２から出力されたデータに対して、エラー検出用のEDC、およびその他の適宜の情報を付加し、スクランブル部１４に供給する。
【００３７】
ステップＳ２において、スクランブル部１４は、光磁気ディスク１９に記録するデータに対してスクランブル処理を施し、ECCエンコード部１５に出力する。
【００３８】
ステップＳ３において、ECCエンコード部１５は、スクランブル部１４から供給されたデータに、ECCを付加する。ECCエンコード部１５によりECCが付加されたデータ(以下、ユーザデータと称する)は、変調部１６内のアンブルデータ生成部３１に供給される。
【００３９】
ステップＳ４において、アンブルデータ生成部３１は、プリアンブル、およびポストアンブルのデータを生成し、生成したプリアンブルとポストアンブルのデータを、ECCエンコード部１５より供給されたデータに付加する。その後、アンブルデータが付加されたデータは、遅延部３２、およびDSV決定演算部３３に供給される。
【００４０】
ステップＳ５において、DSV決定演算部３３は、アンブルデータ生成部３１より出力されたデータに付加すべきDSVビットを演算決定する。
【００４１】
ここで、DSVビットについて説明する。光磁気ディスク１９への記録あるいは、データの伝送の際には、光磁気ディスク１９（伝送）に適した符号化変調が行われるが、これら変調符号に直流成分が含まれているとき、たとえば光ディスク装置１のサーボの制御におけるトラッキングエラーなどの、各種のエラー信号に変動が生じやすくなったり、あるいはジッタが発生しやすくなったりする。従って、直流成分はなるべく含まないほうが良い。そこで、DSVを制御することが提案されている。このDSVとは、符号列（チャネルビット列）をNRZI化し（すなわちレベル符号化する）、そのビット列（データのシンボル）の"１"を＋１、"０"を−１として符号を加算していったときその総和を意味する。DSVは符号列の直流成分の目安となる。DSVの絶対値を小さくすること、すなわち、DSV制御を行うことは、符号列の直流成分を抑制することになる。DSV制御は、チャネルビット列の所定の間隔においてDSV計算を行い、所定のDSV制御ビットを符号列内に挿入することにより行われる。
【００４２】
図２に戻って、ステップＳ６において、DSVビット付加部３４は、所定のタイミングで遅延部３２より供給されたデータ(アンブルデータが付加されたデータ)に、DSV決定演算部３３により決定されたDSVビットを挿入して、１−７pp変調部３５に供給する。
【００４３】
ステップＳ７において、１−７pp変調部３５は、DSVビット付加部３４より供給されたデータに、所定の１−７pp変調処理を施し、変調したデータをFS(Frame Sync)パターン付加部３６に供給する。なお、１−７pp変調処理とは、データ語を、DSV制御を効率よく行えるような、所定の符号則に従って符号語に変換する処理である。
【００４４】
ステップＳ８において、FSパターン付加部３６は、１−７pp変調部３５より供給されたデータに、同期信号であるFSパターンを付加し、NRZI(Non Return to Zero Inverted)変調部３７に供給する。
【００４５】
ステップＳ９において、NRZI変調部３７は、FSパターン付加部３６より供給されたデータをNRZI変調し、磁界変調ドライバ１７に供給する。
【００４６】
ステップＳ１０において、磁界変調ドライバ１７は、磁界用コイル１８を駆動して、光磁気ディスク１９の記録しようとする領域に対して磁界を印加する。
【００４７】
外部インターフェース１１を介して入力されたデータは、以上のようにして、光磁気ディスク１９に記録される。
【００４８】
図３は、以上のようにして光磁気ディスク１９に記録されるデータのフォーマットの一例を示している。図３においては、最小書き換え単位である１クラスタ分のデータが示されている。光磁気ディスク１９には、図３に示されているクラスタが、複数個、所定の配置で記録されている。図３の左側欄外に示されているように、クラスタは、先頭部に付加されているプリアンブル部、１６個のデータセクタ(以下、データセクタ０乃至１５により構成される部分をデータ部と称する)、および末尾に付加されているポストアンブル部により構成されている。
【００４９】
図３において、上から下までの各行は、分割されたデータの最小単位であるフレームに対応する。すなわち、図３の左側欄外、１番上方に示されているプリアンブル部は、上から１フレーム目乃至１０フレーム目のフレームにより構成されている。
【００５０】
また、図３の左側欄外、プリアンブル部の下に示されているデータセクタ０乃至データセクタ１５の１６個のデータセクタは、それぞれ、３１個のフレームにより構成されている。
【００５１】
さらに、図３の左側欄外、データ部の下に示されているポストアンブル部は、下から６フレーム目乃至１フレーム目の６個のフレームにより構成されている。
【００５２】
図３の１番左側の列の上から１行目乃至１０行目に示されている、PrA0乃至PrA9は、説明の便宜上、プリアンブル部を構成する１０個のフレームに、記録順に番号を振ったもの(以下、フレーム番号と称する)であり、実際に、光磁気ディスク１９に記録されるわけではない。
【００５３】
同様に、図３の１番左側の列の上から１１行目乃至２８行目に示されている、DS0_0乃至DS2_30、および下から１４行目乃至７行目に示されている、DS14_29乃至DS15_30は、説明の便宜上、各データセクタの３１個のフレームに、記録順に番号を振ったもの(フレーム番号)であり、実際に、光磁気ディスク１９に記録されるわけではない。
【００５４】
すなわち、「DSｘ_ｙ」の「ｘ」は、データセクタ単位で上からデータセクタを数えた場合の順番を示しており、「ｙ」は、データセクタ内において上からフレームを数えた場合の順番を示している。
【００５５】
同様に、図３の１番左側の列の下から６行目乃至１行目に示されている、PoA0乃至PoA5は、説明の便宜上、ポストアンブル部を構成する６個のフレームに、記録順に番号を振ったもの(フレーム番号)であり、実際に、光磁気ディスク１９に記録されるわけではない。
【００５６】
光磁気ディスク１９に記録される部分は、図３の右側の２列である。すなわち、図３右側から２列目には、ユーザデータに対して図２のステップＳ８で付加された同期パターン(フレームシンク(FS))の領域(FS領域)が示されている。また、図３右側から１列目には、アンブルデータ、またはユーザデータが記録される領域(データ領域)が示されている。図３の下方に示されているように、フレームシンクは、30チャネルビットにより構成されている。また、アンブルデータ、およびユーザデータは、1902チャネルビットにより構成されている。
【００５７】
図３の上から１行目乃至１０行目に示されているように、プリアンブル部は、プリアンブルデータ領域０乃至９、およびプリアンブルデータ領域０乃至９のそれぞれに対応するプリアンブルFS領域０乃至９により構成されている。
【００５８】
図３の下から６行目乃至１行目に示されているように、ポストアンブル部は、ポストアンブルデータ領域０乃至５、およびポストアンブルデータ領域０乃至５のそれぞれに対応するポストアンブルFS領域０乃至５により構成されている。
【００５９】
図３の１１行目乃至１６行目に示されているデータセクタ０の部分を抜き出して、図４に示す。図４においてデータセクタ０は、DS0_0乃至DS0_30の３１のフレームにより構成され、各フレームは、ユーザデータ領域0_0乃至0_30、およびユーザデータ領域0_0乃至0_30のそれぞれに対応するデータセクタFS領域0_0乃至0_30により構成されている。また、図４の下方に示されるように、各フレーム内のデータセクタFS領域は、30チャネルビットで形成され、ユーザデータ領域は、1902チャネルビットで形成されている。データセクタ０は、以上のようにして構成されている。
【００６０】
図３に戻って、データセクタ１乃至１５の内部構成は、データセクタ０と同様になっている。
【００６１】
ここで、FS領域に記録されるフレームシンクのパターン(以下、FSパターンと称する)について図５を参照しつつ説明する。
【００６２】
本発明を適用した実施の形態においては、一例として、FS0乃至FS7の７個の異なる同期パターンを、FSパターンとして採用している。光ディスク装置１は、光磁気ディスク１９の再生時に、この同期パターンの並び順に基づいて、再生している光磁気ディスク１９上のポイントが、プリアンブル部なのか、ポストアンブル部なのか、データ部なのか、さらに、データ部内の、データセクタの何番目のフレームなのかまで、特定することができる。
【００６３】
図５Ａには、プリアンブル部のFSパターンが示されている。図５Ａにおいて、左側の列のフレーム、PrA0乃至PrA9は、図３のプリアンブル部のPrA0乃至PrA9に対応している。また、図５Ａの右側の列に示されているFSパターンが、図３の、プリアンブルFS領域0乃至9に記録される。
【００６４】
図５Ａに示されるように、プリアンブル部では、フレームPrA0にFS7が記録され、フレームPrA1にFS7が記録され、フレームPrA2にFS7が記録され、フレームPrA3にFS7が記録され、フレームPrA4にFS7が記録され、フレームPrA5にFS1が記録され、フレームPrA6にFS4が記録され、フレームPrA7にFS7が記録され、フレームPrA8にFS4が記録され、フレームPrA9にFS2が記録される。
【００６５】
図５Ａに示されるフレームシンクの並び順は、以下に示す規則に従って配置されている。
【００６６】
すなわち、プリアンブル内のフレームPrA0乃至PrA9のｎ番目のフレームをPrA(n)とおいた場合、フレームシンクは、
１．PrA(n-1)のFSパターンとPrA(n)のFSパターンの並び順は、n=０乃至９に対して２ヶ所以上は出現しない。
２．PrA(n-2)のFSパターンとPrA(n)のFSパターンの並び順は、n=０乃至９に対して２ヶ所以上は出現しない。
３．PrA(n-3)のFSパターンとPrA(n)のFSパターンの並び順は、n=０乃至９に対して２ヶ所以上は出現しない。
４．PrA(n-４)のFSパターンとPrA(n)のFSパターンの並び順は、n=０乃至９に対して２ヶ所以上は出現しない。
の４項目のうち、少なくとも３項目を満たすように配置される。ただし、「FS7−FS7」の並びは例外とする。
【００６７】
プリアンブル部においては、以上のような規則に従って、フレームシンクが、各フレームのプリアンブルFS領域に配置される。
【００６８】
図５Ｂには、ポストアンブル部のFSパターンが示されている。図５Ｂにおいて、左側の列のフレームPoA0乃至PoA5は、図３のポストアンブル部のPoA0乃至PoA5に対応している。また、図５Ｂの右側の列に示されているFSパターンが、図３の、ポストアンブルFS領域0乃至5に記録される。
【００６９】
図５Ｂに示されるように、ポストアンブル部では、フレームPoA0乃至PoA5のそれぞれに、FS7が記録される。
【００７０】
図５Ｃには、図３のデータセクタ０乃至１５のそれぞれのデータセクタ内における３１個のフレームDSX0乃至DSX30に記録されるフレームシンクのFSパターンが示されている。図５Ｃにおいて、左側の列のフレームDSX0乃至DSX30は、図３のデータセクタ０乃至１５のそれぞれのデータセクタ内の３１個のフレーム(例えば、データセクタ０におけるDS0_0乃至DS0_30)に対応する。また、図５Ｃの右側の列に示されているFSパターンが、図３のデータセクタ０乃至１５のそれぞれのデータセクタ内における３１個のデータセクタFS領域(例えば、データセクタ０におけるデータセクタFS領域0_0乃至0_30)に記録される。
【００７１】
すなわち、図５Ｃに示されるように、フレームDSX0にはFS0が記録され、フレームDSX1にはFS1が記録され、フレームDSX2にはFS2が記録されるという具合にDSX30まで記録される。
【００７２】
なお、図５Ｃにおいては、FSパターンFS0乃至FS7が、以下に説明するような規則に従って並んでいる。なお、以下に説明する規則は、図５ＣのデータセクタのフレームDSX0乃至DSX30の全てに適用されている。
【００７３】
すなわち、図５Ｃのデータセクタ内のフレームDSX0乃至DSX30のｎ番目のフレームをDSX(n)とおいた場合、フレームシンクは、
１．DSX(n-1)のFSパターンとDSX(n)のFSパターンの並び順は、n=０乃至３０に対して２ヶ所以上は出現しない。
２．DSX(n-2)のFSパターンとDSX(n)のFSパターンの並び順は、n=０乃至３０に対して２ヶ所以上は出現しない。
３．DSX(n-3)のFSパターンとDSX(n)のFSパターンの並び順は、n=０乃至３０に対して２ヶ所以上は出現しない。
４．DSX(n-４)のFSパターンとDSX(n)のFSパターンの並び順は、n=０乃至３０に対して２ヶ所以上は出現しない。
の４項目のうち、少なくとも３項目を満たすように配置される。
【００７４】
また、プリアンブル部とデータセクタ部をまたぐ場合においては、DSX(ｎ)と該当するPrA(m),PrA(m-1),PrA(m-2),PrA(m-3)、それぞれに対し、上述した同様の規則を満たすように、フレームシンクが配置される。
【００７５】
また、フレームシンクは、FSパターンFS0がDSX0以外では利用されないように配置される。さらに、データセクタにおいて、FSパターンFS7のフレームシンクは、利用されない。
【００７６】
以上のような規則に従って、データセクタ内の各フレームのデータセクタFS領域に、フレームシンクが記録される。
【００７７】
以上のように、データセクタにおいて、FS7を利用せず、アンブル部においてのみFS7を利用することにより、光ディスク装置１が、光磁気ディスク１９を再生する際に、アンブル部とデータセクタ(データ部)を、容易に識別することが可能となる。
【００７８】
また、プリアンブル部のフレームシンクのFSパターンを全てFS7にはせず、他のFSパターン、すなわち、図５ＡにおけるフレームPrA5のFSパターンFS1、フレームPrA6のFSパターンFS4、フレームPrA8のFSパターンFS4、および、フレームPrA9のFSパターンFS2を含むようにすることにより、光ディスク装置１が、光磁気ディスク１９を再生する際に、プリアンブル部内における再生位置を、容易に識別することができる。
【００７９】
次に、図６を参照しつつ、FSパターンFS0乃至FS7のフレームシンクのデータ構造について説明する。
【００８０】
図６の表は、FSパターンFS0乃至FS7の、それぞれのフレームシンクの構造を示している。図６の表の１番左側の列「Sync No」には、FSパターンFS0乃至FS7が示されており、図６の表の左側から２列目以降に、FSパターンに対応するフレームシンクの構造が示されている。すなわち、図６の表の左側から２列目「Sync body」は、さらに、２つの項目に分けられており、「Sync body」内の左側の列には「1'b*」が、右側の列には「23'h280402」が、それぞれ、示されている。
【００８１】
ここで、「1'b*」は、１ビットにより構成され、光磁気ディスク１９に記録されるデータの、前のフレームの最後尾において、1-7pp変調の終了処理(terminate処理)がなされていた場合、「１」が記録され、前のフレームの最後尾において、終了処理がなされていない場合、「０」が記録される。また、「23'h280402」は、23ビットにより構成され、１６進数表示した場合に「280402」である２進数の数字が記録される。
【００８２】
また、図６の表の右側の列「Sync ID」は、データ領域側の６ビットにより構成され、各行の右側から２桁分は、記録されるデータが１６進数表示で示されている。
【００８３】
すなわち、図６において、FS0は、「1'b*」、「23'h280402」、および「6'h01」が、この順番で並んで構成されている。これを２進数表示すると、以下のようになる。
【００８４】
#01 010 000 000 010 000 000 010 000 001
【００８５】
なお、#は、前のフレームの最後尾において、終了処理(terminate処理)がなされていた場合、「１」であり、前のフレームの最後尾において、終了処理がなされていない場合、「０」である。
【００８６】
上記した２進数表示のうち、左から１番目の「#」が「1'b*」に対応する。また、左から２番目乃至２４番目の「01 010 000 000 010 000 000 010」が「23'h280402」に対応する。また、左から２５番目乃至３０番目の「000 001」が「6'h01」に対応する。
【００８７】
図６において、FS1は、「1'b*」、「23'h280402」、および「6'h12」が、この順番で並んで構成されている。「6'h12」の２進数表示は以下のようになる(「1'b*」、および「23'h280402」の記載は、FS0の場合と同一であるので省略する)。
【００８８】
010 010
【００８９】
以下、同様に、図６において、FS2は、「1'b*」、「23'h280402」、および「6'h28」が、この順番で並んで構成されている。「6'h28」の２進数表示は以下のようになる。
【００９０】
101 000
【００９１】
図６において、FS3は、「1'b*」、「23'h280402」、および「6'h21」が、この順番で並んで構成されている。「6'h21」の２進数表示は以下のようになる。
【００９２】
100 001
【００９３】
図６において、FS4は、「1'b*」、「23'h280402」、および「6'h04」が、この順番で並んで構成されている。「6'h04」の２進数表示は以下のようになる。
【００９４】
000 100
【００９５】
図６において、FS5は、「1'b*」、「23'h280402」、および「6'h09」が、この順番で並んで構成されている。「6'h09」の２進数表示は以下のようになる。
【００９６】
001 001
【００９７】
図６において、FS6は、「1'b*」、「23'h280402」、および「6'h10」が、この順番で並んで構成されている。「6'h10」の２進数表示は以下のようになる。
【００９８】
010 000
【００９９】
図６において、FS7は、「1'b*」、「23'h280402」、および「6'h29」が、この順番で並んで構成されている。「6'h29」の２進数表示は以下のようになる。
【０１００】
101 001
【０１０１】
以上のようにして、８個の異なるFSパターンが設定されている。なお、図６に示した構成の同期パターンを利用して、データを光磁気ディスク１９に記録する場合、１−７pp変調のルール(Ｔmin，Ｔmax，RMTR：Repeated Minimum Transition Runlength)を守って、データを記録することができる。
【０１０２】
ところで、フレームシンクのFSパターンは、図６のFS7以外にも、図７のFS7-0乃至FS7-7のうちの一つをその代わりに設定することも可能である。
【０１０３】
すなわち、図７の表は、FSパターンFS7-0乃至FS7-7、それぞれのフレームシンクの構造の、図６とは異なる例を示している。図７の表の１番左側の列「FS7の候補」には、FS7に設定でき得るパターンFS7-0乃至FS7-7が示されており、図７の表の左側から２列目以降に、FSパターンに対応するフレームシンクの構造が示されている。すなわち、図７の表の左側から２列目「Sync body」は、さらに、２つの項目に分けられており、「Sync body」内の左側の列には「1'b*」が、右側の列には「23'h280402」が、それぞれ示されている。
【０１０４】
ここで、図６の表と同様、図７においても、「1'b*」は、１ビットにより構成され、光磁気ディスク１９に記録されるデータの、前のフレームの最後尾において、終了処理がなされていた場合、「１」が記録され、前のフレームの最後尾において、終了処理がなされていない場合、「０」が記録される。また、「23'h280402」は、23ビットにより構成され、１６進数表示した場合に「280402」である２進数の数字が記録される。
【０１０５】
つまり、図６のFS7のかわりに図７のFS7-0乃至FS7-7のうちの１つを使って、データを光磁気ディスク１９に記録する場合も、１−７pp変調のルールを守って、データを記録することができる。これらの組み合わせを用いた場合、FS0乃至FS6はDVRのそれと同じである。
【０１０６】
ところで、フレームシンクのFSパターンは、図６および図７以外にも、図８のように設定することも可能である。
【０１０７】
すなわち、図８の表は、FSパターンFS0乃至FS7、それぞれのフレームシンクの構造の、図６および図７とは異なる例を示している。図８の表の１番左側の列「Sync No」には、FSパターンFS0乃至FS7が示されており、図８の表の左側から２列目以降に、FSパターンに対応するフレームシンクの構造が示されている。すなわち、図７の表の左側から２列目「Sync body」は、さらに、２つの項目に分けられており、「Sync body」内の左側の列には「1'b*」が、右側の列には「23'h280402」が、それぞれ、示されている。
【０１０８】
ここで、図６の表と同様、図８においても、「1'b*」は、１ビットにより構成され、光磁気ディスク１９に記録されるデータの、前のフレームの最後尾において、終了処理がなされていた場合、「１」が記録され、前のフレームの最後尾において、終了処理がなされていない場合、「０」が記録される。また、「23'h280402」は、23ビットにより構成され、１６進数表示した場合に「280402」である２進数の数字が記録される。
【０１０９】
また、図８の表の右側の列「Sync ID」は、データ領域側の６ビットにより構成され、各行の右側から２桁分は、記録されるデータが１６進数表示で示されている。
【０１１０】
すなわち、図８において、FS0は、「1'b*」、「23'h280402」、および「6'h01」が、この順番で並んで構成されている。FS1は、「1'b*」、「23'h280402」、および「6'h04」が、この順番で並んで構成されている。FS2は、「1'b*」、「23'h280402」、および「6'h09」が、この順番で並んで構成されている。FS3は、「1'b*」、「23'h280402」、および「6'h10」が、この順番で並んで構成されている。FS4は、「1'b*」、「23'h280402」、および「6'h12」が、この順番で並んで構成されている。FS5は、「1'b*」、「23'h280402」、および「6'h21」が、この順番で並んで構成されている。FS6は、「1'b*」、「23'h280402」、および「6'h24」が、この順番で並んで構成されている。FS7は、「1'b*」、「23'h280402」、および「6'h29」が、この順番で並んで構成されている。
【０１１１】
なお、図８に示される構成のFSパターンを利用して、光磁気ディスク１９にデータを記録する場合、Sync ID間のハミング距離を２以上とることが可能となる。
【０１１２】
次に、図９のフローチャートを参照しつつ、光ディスク装置１の光磁気ディスク再生処理について説明する。
【０１１３】
ステップＳ３１において、光ピックアップ２３は、記録用のレーザビームよりも強度が低い再生用のレーザビームを光磁気ディスク１９に照射するとともに、光ディスク１９から反射された再生用のレーザビームを電気信号に光電変換し、ADIPデコーダ２０、およびRF処理部２４に供給する。
【０１１４】
ステップＳ３２において、RF処理部２４は、光ピックアップ２３より供給された電気信号を基に、再生RF信号を生成し、ビタビ復号部２５に出力する。
【０１１５】
ステップＳ３３において、ビタビ復号部２５は、RF処理部２４より出力された再生RF信号をビタビ復号して、２値化データを生成し、この２値化データを、1-7ｐｐ復調部２６に供給する。
【０１１６】
ステップＳ３４において、1-7ｐｐ復調部２６は、ビタビ復号部２５から出力された２値化データに対して、所定の復調処理を施し、得られたデータをECCデコード部２７に出力する。なお、1-7ｐｐ復調部２６が実行する処理の一部について、後述で、詳細に説明する。
【０１１７】
ステップＳ３５において、ECCデコード部２７は、1-7ｐｐ復調部２６から供給されたデータに対して、エラー訂正処理を実行した後、デスクランブル部２８に供給する。
【０１１８】
ステップＳ３６において、デスクランブル部２８は、ECCデコード部２７より出力されたデータをデスクランブルし、このデータを各種情報/EDCデコード部２９に出力する。
【０１１９】
ステップＳ３７において、各種情報/EDCデコード部２９は、デスクランブル部２８より出力されたデータから、各種情報を抽出するとともに、EDCを抽出し、再生されたデータにエラーが含まれているか否かを判定する。その後、データを、バッファ１２に供給する。
【０１２０】
ステップＳ３８において、バッファ１２は、各種情報/EDCデコード部２９より供給されたデータを一時的に格納し、適宜、外部インターフェース１１を介して、図示せぬ回路に、データを供給する。
【０１２１】
以上のようにして、光ディスク装置１は、光磁気ディスク１９を再生する。
【０１２２】
次に、図１０を参照しつつ、図９のフローチャートのステップＳ３４、データの復調処理の一部である、フレーム番号の検出処理について説明する。
【０１２３】
図１０は、1-7ｐｐ復調部２６内の一部分の構成を詳細に示したブロック図である。図１０において、シフトレジスタ５１は、フレームシンクのビット数、すなわち、３０ビットのシフトレジスタであり、ビタビ復号部２５より出力される２値化データを入力する。シフトレジスタ５１の出力は、FSパターン比較部５３に入力される。
【０１２４】
FSパターン比較部５３は、入力された２値化データを、図６(または図７、図８)に示したFSパターンと比較することにより、FSパターンを検出する。そして、FSパターンが検出された場合、FSパターン比較部５３において検出されたFSパターン(以下、FSn0と称する)の先頭から１フレーム分(1932ビット)前に再生されたFSパターン(以下、FSn1と称する)をレジスタ５４−１から出力し、検出されたデータFSn0の先頭から２フレーム分(3864ビット)前に再生されたFSパターン(以下、FSn2と称する)をレジスタ５４−２から出力し、検出されたデータFSn0の先頭から３フレーム分(5796ビット)前に再生されたFSパターン(以下、FSn3と称する)をレジスタ５４−３から出力し、検出されたデータFSn0の先頭から４フレーム分(7728ビット)前に再生されたFSパターン(以下、FSn4と称する)をレジスタ５４−４から出力する。
【０１２５】
FSパターン比較部５３、およびシフトレジスタ５４−１乃至５４−４から出力されたデータFSn0、FSn1、FSn2、FSn3、およびFSn4のそれぞれは、プリアンブルフレーム番号候補抽出部５５、およびデータフレーム番号抽出部５６に供給される。
【０１２６】
プリアンブルフレーム番号候補抽出部５５は、図１１乃至図１４に示されたフローチャートに従い、入力されたデータFSn0、FSn1、FSn2、FSn3、およびFSn4のFSパターンの並び順に基づいて、FSn0のフレーム番号の候補を抽出する。FSn0、およびFSn1の２つの並び順に基づいて抽出されるフレーム番号の候補をpasq2と称する。また、FSn0、FSn1、およびFSn2の３つの並び順に基づいて抽出されるフレーム番号の候補をpasq3と称する。また、FSn0、FSn1、FSn2、FSn3の４つの並び順に基づいて抽出されるフレーム番号の候補をpasq4と称する。さらに、FSn0、FSn1、FSn3、およびFSn4の４つの並び順に基づいて抽出されるフレーム番号の候補をpasq54と称する。
【０１２７】
プリアンブルフレーム番号候補抽出部５５は、プリアンブル部のフレームのフレーム番号の候補を抽出する。その結果、入力されたデータFSn0、FSn1、FSn2、FSn3、およびFSn4からフレーム番号の候補が抽出された場合、プリアンブルフレーム番号候補抽出部５５は、pasq2、pasq3 、pasq4、pasq54から候補となるフレーム番号を出力する。入力されたデータFSn0、FSn1、FSn2、FSn3、およびFSn4に対するフレーム番号の候補が、pasq2、pasq3、pasq4、pasq54のいずれかから抽出されなかった場合、プリアンブルフレーム番号候補抽出部５５の抽出されなかった出力は、「７」を出力する。
【０１２８】
データフレーム番号候補抽出部５６は、図１５乃至図１８に示されたフローチャートに従い入力されたデータFSn0、FSn1、FSn2、FSn3、およびFSn4のFSパターンの並び順に基づいて、FSn0のフレーム番号の候補を抽出する。なお、データフレーム番号候補抽出部５６は、データ部のフレームのフレーム番号の候補を抽出する。FSn0、およびFSn1の２つの並び順に基づいて抽出されるフレーム番号の候補をfrsq2と称する。また、FSn0、FSn1、およびFSn2の３つの並び順に基づいて抽出されるフレーム番号の候補をfrsq3と称する。また、FSn0、FSn1、FSn2、およびFSn3の４つの並び順に基づいて抽出されるフレーム番号の候補をfrsq4と称する。さらに、FSn0、FSn1、FSn3、およびFSn4の４つの並び順に基づいて抽出されるフレーム番号の候補をfrsq54と称する。
【０１２９】
入力されたデータFSn0、FSn1、FSn2、FSn3、およびFSn4から、フレーム番号の候補が抽出された場合、データフレーム番号候補抽出部５６は、frsq2、frsq3、frsq4、frsq54から、候補となるフレーム番号を出力する。入力されたデータFSn0、FSn1、FSn2、FSn3、およびFSn4に対するフレーム番号の候補が、frsq2、frsq3、frsq4、frsq54のいずれかから抽出されなかった場合、データフレーム番号候補抽出部５６の抽出されなかった出力は、「３１」を出力する。
【０１３０】
図１９に示したフローチャートに従い、シフトレジスタ５４−１乃至５４−４が更新される毎に、ロックモード(lock-mode)生成部５７は、ロックモードを生成し出力する。ロックモード(lock-mode)生成部５７は、毎クラスタの始めで、ロックモード＝０に設定する。シフトレジスタ５４−１乃至５４−４が更新され、"データフレーム番号候補抽出部５６の出力のうちfrsq2が「３１」でない"か、もしくは"プリアンブルフレーム番号候補抽出部５５からの出力のうちpasq2が「７」でない"かのうち、少なくともいずれか一方を満たすとき、ロックモードをカウントアップしロックモード＝１に設定し、フレーム番号決定部５８に出力する。
【０１３１】
その後、シフトレジスタ５４−１乃至５４−４の更新時に、"データフレーム番号候補抽出部５６の出力のうちfrsq3が「３１」でない"か、もしくは"プリアンブルフレーム番号候補抽出部５５からの出力のうちpasq3が「７」でない"かのうち、少なくともいずれか一方を満たす場合、ロックモードをカウントアップしロックモード＝２に設定し、フレーム番号決定部５８に出力する。
【０１３２】
その後、シフトレジスタ５４−１乃至５４−４の更新時に、"データフレーム番号候補抽出部５６の出力のうちfrsq4が「３１」でない"か、もしくは"プリアンブルフレーム番号候補抽出部５５からの出力のうちpasq4が「７」でない"かのうち、少なくともいずれか一方を満たす場合、ロックモードをカウントアップしロックモード＝３に設定し、フレーム番号決定部５８に出力する。
【０１３３】
その後、シフトレジスタ５４−１乃至５４−４の更新時に、"データフレーム番号候補抽出部５６の出力のうちfrsq54が「３１」でない"か、もしくは"プリアンブルフレーム番号候補抽出部５５からの出力のうちpasq54が「７」でない"かのうち、少なくともいずれか一方を満たす場合、ロックモード＝３を保持し、フレーム番号決定部５８に出力する。
【０１３４】
ロックモードが、ロックモード＝０乃至３のいずれに設定された場合においても、シフトレジスタ５４−１乃至５４−４の更新時において、ロックモードに応じた"データフレーム番号候補抽出部５６の該当出力が「３１」であり"かつ"プリアンブルフレーム番号候補抽出部５５の該当出力が「７」である場合はロックモード＝０に設定し、フレーム番号決定部５８に出力する。
【０１３５】
フレーム番号決定部５８は、図２０のフローチャートに従い、ロックモード生成部５７から入力されるロックモード、およびデータフレーム番号候補抽出部５６から入力されるデータフレーム番号候補に基づいて、入力されたデータのフレーム番号を決定する。
【０１３６】
まず、クラスタの先頭でフレーム番号決定部５８はその出力であるfrm_noをアンブル部である事を示す「３１」にセットする。その後シフトレジスタ５４−１乃至５４−４が更新される毎に、以下の様にfrm_noを設定する。
【０１３７】
もしロックモードが「０」のときデータフレーム番号候補抽出部５６からの入力のうちfrsq2の値が「３１」でなければ、フレーム番号決定部５８はその出力frm_noにfrsq2を設定し、「３１」ならばfrm_noに符号無し５ビットの加算でfrm_noにfrm_no+1を設定する。ただし、frm_no=３１の場合はこの値は保持される。
【０１３８】
もしロックモードが「１」のときデータフレーム番号候補抽出部５６からの入力のうちfrsq3の値が「３１」でなければ、フレーム番号決定部５８はその出力frm_noにfrsq3を設定する。もし「３１」であればデータフレーム番号候補抽出部５６からの入力のうちfrsq54の値が「３１」であるかをみる。この時frsq54の値が「３１」でなければfrm_noにfrsq54を設定し、「３１」ならばfrm_noに符号無し５ビットの加算でfrm_noにfrm_no+1を設定する。ただし、frm_no=３１の場合はこの値は保持される。
【０１３９】
もしロックモードが「２」もしくは「３」のときデータフレーム番号候補抽出部５６からの入力のうちfrsq4の値が「３１」でなければ、フレーム番号決定部５８はその出力frm_noにfrsq4を設定する。もし「３１」であればデータフレーム番号候補抽出部５６からの入力のうちfrsq54の値が「３１」であるかをみる。この時frsq54の値が「３１」でなければfrm_noにfrsq54を設定し、「３１」ならばfrm_noに符号無し５ビットの加算でfrm_noにfrm_no+1を設定する。ただし、frm_no=３１の場合はこの値は保持される。
【０１４０】
ここで、フレーム番号の候補の抽出原理について、図２１乃至図２４を参照しつつ説明する。図２１乃至図２４の表は、フレーム番号の候補の抽出のために用いられる照合用の表である。なお、図２２は、図２１の表に続く表であり、図２４は、図２３の表に続く表である。
【０１４１】
図２１乃至図２４に示される表において、左側の列「FrameNo」を、列１と称し、そのすぐ右隣の列「FS(n)」を列２と称する。また、「クラスタの先頭」(図２３および図２４においては「クラスタの中間」)の記載により分類された列の内、１番左側の列「FSn0  FSn1」を列３と称し、その右隣の列「FSn0  FSn1  FSn2」を列４と称し、その右隣の列「FSn0  FSn1  FSn2  FSn3」を列５と称し、その右隣の列「FSn0  FSn1  FSn3  FSn4」を列６と称する。
【０１４２】
また、以下の説明においては、列１の「FrameNo」が記載されている行の１つ下の行(例えば、図２１の列１における「PrA0」が記載されている行)を１行目として、行数を示すこととする。
【０１４３】
図２１および図２２の表には、プリアンブル部およびデータセクタ０のフレーム番号候補を抽出するための参照情報が示されている。また、図２３および図２４には、データセクタ１乃至１５のフレーム番号候補を抽出するための参照情報が示されている。
【０１４４】
FSパターンの並び順は、図５に示されるようになっており、図２１乃至図２４の表の列１には、図５に対応するフレームが示されている。すなわち、図２１の表の列１「FrameNo」の上から１行目乃至１０行目に示されているPrA0乃至PrA9は、図５Ａの左側の列に示されているPrA0乃至PrA9と対応するものである。また、図２１の表の列１「FrameNo」の上から１１行目乃至２１行目に示されているDSX0乃至DSX10および図２３の表の列１「FrameNo」の上から１行目乃至１１行目に示されているDSX0乃至DSX10は、図５Ｃの左側の列に示されているDSX0乃至DSX10と対応するものである。さらに、図２２および図２４の表の列１「FrameNo」の上から１行目乃至２０行目に示されているDSX11乃至DSX30は、図５Ｃの左側の列に示されているDSX11乃至DSX30と対応するものである。
【０１４５】
また、図２１の表の列２「FS(n)」の上から１行目乃至１０行目に示されている数字は、図５Ａの右側の列に示されているFSパターンから番号のみを抜き出して示したものである。すなわち、図２１の表の列２「FS(n)」の上から１行目乃至１０行目の7,7,7,7,7,1,4,7,4,2は、それぞれ、図５Ａ右側の列のFS7, FS7, FS7, FS7, FS7, FS1, FS4, FS7, FS4, FS2を意味している。
【０１４６】
図２１および図２２の表の列３「FSn0  FSn1」には、列２に示されているFSパターンが、２つ並んだ場合の数字が示されている。すなわち、図２１の列３「FSn0  FSn1」の上から２行目には、PrA0のFSパターンである「７」(列２の上から１行目)、およびPrA1のFSパターンである「７」(列２の上から２行目)が、PrA1、PrA0の順番で、「７７」と示されている。
【０１４７】
同様に、図２１の表の列３「FSn0  FSn1」の上から３行目には、PrA1のFSパターンである「７」(列２の上から２行目)、およびPrA2のFSパターンである「７」(列２の上から３行目)が、PrA2、PrA1の順番で、「７７」と示されている。
【０１４８】
同様に、図２１の表の列３「FSn0  FSn1」の上から４行目には、PrA2のFSパターンである「７」(列２の上から３行目)、およびPrA3のFSパターンである「７」(列２の上から４行目)が、PrA3、PrA2の順番で、「７７」と示されている。
【０１４９】
同様に、図２１の表の列３「FSn0  FSn1」の上から５行目には、PrA3のFSパターンである「７」(列２の上から４行目)、およびPrA4のFSパターンである「７」(列２の上から５行目)が、PrA4、PrA3の順番で、「７７」と示されている。
【０１５０】
同様に、図２１の表の列３「FSn0  FSn1」の上から６行目には、PrA4のFSパターンである「７」(列２の上から５行目)、およびPrA5のFSパターンである「１」(列２の上から６行目)が、PrA5、PrA4の順番で、「１７」と示されている。
【０１５１】
同様に、図２１の表の列３「FSn0  FSn1」の上から７行目には、PrA5のFSパターンである「１」(列２の上から６行目)、およびPrA6のFSパターンである「４」(列２の上から７行目)が、PrA6、PrA5の順番で、「４１」と示されている。
【０１５２】
同様に、図２１の表の列３「FSn0  FSn1」の上から８行目には、PrA6のFSパターンである「４」(列２の上から７行目)、およびPrA7のFSパターンである「７」(列２の上から８行目)が、PrA7、PrA6の順番で、「７４」と示されている。
【０１５３】
同様に、図２１の表の列３「FSn0  FSn1」の上から９行目には、PrA7のFSパターンである「７」(列２の上から８行目)、およびPrA8のFSパターンである「４」(列２の上から９行目)が、PrA8、PrA7の順番で、「４７」と示されている。
【０１５４】
同様に、図２１の表の列３「FSn0  FSn1」の上から１０行目には、PrA8のFSパターンである「４」(列２の上から９行目)、およびPrA9のFSパターンである「２」(列２の上から１０行目)が、PrA9、PrA8の順番で、「２４」と示されている。
【０１５５】
同様に、図２１の表の列３「FSn0  FSn1」の上から１１行目には、PrA9のFSパターンである「２」(列２の上から１０行目)、およびDSX0のFSパターンである「０」(列２の上から１１行目)が、DSX0、PrA9の順番で、「０２」と示されている。
【０１５６】
同様に、図２１の表の列３「FSn0  FSn1」の上から１２行目には、DSX0のFSパターンである「０」(列２の上から１１行目)、およびDSX1のFSパターンである「１」(列２の上から１２行目)が、DSX1、DSX0の順番で、「１０」と示されている。
【０１５７】
同様に、図２１の表の列３「FSn0  FSn1」の上から１３行目には、DSX1のFSパターンである「１」(列２の上から１２行目)、およびDSX2のFSパターンである「２」(列２の上から１３行目)が、DSX2、DSX1の順番で、「２１」と示されている。
【０１５８】
同様に、図２１の表の列３「FSn0  FSn1」の上から１４行目には、DSX2のFSパターンである「２」(列２の上から１３行目)、およびDSX3のFSパターンである「３」(列２の上から１４行目)が、DSX3、DSX2の順番で、「３２」と示されている。
【０１５９】
同様に、図２１の表の列３「FSn0  FSn1」の上から１５行目には、DSX3のFSパターンである「３」(列２の上から１４行目)、およびDSX4のFSパターンである「３」(列２の上から１５行目)が、DSX4、DSX3の順番で、「３３」と示されている。
【０１６０】
同様に、図２１の表の列３「FSn0  FSn1」の上から１６行目には、DSX4のFSパターンである「３」(列２の上から１５行目)、およびDSX5のFSパターンである「１」(列２の上から１６行目)が、DSX5、DSX4の順番で、「１３」と示されている。
【０１６１】
同様に、図２１の表の列３「FSn0  FSn1」の上から１７行目には、DSX5のFSパターンである「１」(列２の上から１６行目)、およびDSX6のFSパターンである「４」(列２の上から１７行目)が、DSX6、DSX5の順番で、「４１」と示されている。
【０１６２】
同様に、図２１の表の列３「FSn0  FSn1」の上から１８行目には、DSX6のFSパターンである「４」(列２の上から１７行目)、およびDSX7のFSパターンである「１」(列２の上から１８行目)が、DSX7、DSX6の順番で、「１４」と示されている。
【０１６３】
同様に、図２１の表の列３「FSn0  FSn1」の上から１９行目には、DSX7のFSパターンである「１」(列２の上から１８行目)、およびDSX8のFSパターンである「５」(列２の上から１９行目)が、DSX8、DSX7の順番で、「５１」と示されている。
【０１６４】
同様に、図２１の表の列３「FSn0  FSn1」の上から２０行目には、DSX8のFSパターンである「５」(列２の上から１９行目)、およびDSX9のFSパターンである「５」(列２の上から２０行目)が、DSX9、DSX8の順番で、「５５」と示されている。
【０１６５】
同様に、図２１の表の列３「FSn0  FSn1」の上から２１行目には、DSX9のFSパターンである「５」(列２の上から２０行目)、およびDSX10のFSパターンである「４」(列２の上から２１行目)が、DSX10、DSX9の順番で、「４５」と示されている。
【０１６６】
引き続き、図２２に進み、図２１の表の列３「FSn0  FSn1」の上から１行目には、DSX10のFSパターンである「４」(図２１の列２の上から２１行目)、およびDSX11のFSパターンである「３」(図２２の列２の上から１行目)が、DSX11、DSX10の順番で、「３４」と示されている。
【０１６７】
同様に、図２２の表の列３「FSn0  FSn1」の上から２行目には、DSX11のFSパターンである「３」(列２の上から１行目)、およびDSX12のFSパターンである「４」(列２の上から２行目)が、DSX12、DSX11の順番で、「４３」と示されている。
【０１６８】
同様に、図２２の表の列３「FSn0  FSn1」の上から３行目には、DSX12のFSパターンである「４」(列２の上から２行目)、およびDSX13のFSパターンである「６」(列２の上から３行目)が、DSX13、DSX12の順番で、「６４」と示されている。
【０１６９】
同様に、図２２の表の列３「FSn0  FSn1」の上から４行目には、DSX13のFSパターンである「６」(列２の上から３行目)、およびDSX14のFSパターンである「６」(列２の上から４行目)が、DSX14、DSX13の順番で、「６６」と示されている。
【０１７０】
同様に、図２２の表の列３「FSn0  FSn1」の上から５行目には、DSX14のFSパターンである「６」(列２の上から４行目)、およびDSX15のFSパターンである「３」(列２の上から５行目)が、DSX15、DSX14の順番で、「３６」と示されている。
【０１７１】
同様に、図２２の表の列３「FSn0  FSn1」の上から６行目には、DSX15のFSパターンである「３」(列２の上から５行目)、およびDSX16のFSパターンである「５」(列２の上から６行目)が、DSX16、DSX15の順番で、「５３」と示されている。
【０１７２】
同様に、図２２の表の列３「FSn0  FSn1」の上から７行目には、DSX16のFSパターンである「５」(列２の上から６行目)、およびDSX17のFSパターンである「３」(列２の上から７行目)が、DSX17、DSX16の順番で、「３５」と示されている。
【０１７３】
同様に、図２２の表の列３「FSn0  FSn1」の上から８行目には、DSX17のFSパターンである「３」(列２の上から７行目)、およびDSX18のFSパターンである「２」(列２の上から８行目)が、DSX18、DSX17の順番で、「２３」と示されている。
【０１７４】
同様に、図２２の表の列３「FSn0  FSn1」の上から９行目には、DSX18のFSパターンである「２」(列２の上から８行目)、およびDSX19のFSパターンである「２」(列２の上から９行目)が、DSX19、DSX18の順番で、「２２」と示されている。
【０１７５】
同様に、図２２の表の列３「FSn0  FSn1」の上から１０行目には、DSX19のFSパターンである「２」(列２の上から９行目)、およびDSX20のFSパターンである「５」(列２の上から１０行目)が、DSX20、DSX19の順番で、「５２」と示されている。
【０１７６】
同様に、図２２の表の列３「FSn0  FSn1」の上から１１行目には、DSX20のFSパターンである「５」(列２の上から１０行目)、およびDSX21のFSパターンである「６」(列２の上から１１行目)が、DSX21、DSX20の順番で、「６５」と示されている。
【０１７７】
同様に、図２２の表の列３「FSn0  FSn1」の上から１２行目には、DSX21のFSパターンである「６」(列２の上から１１行目)、およびDSX22のFSパターンである「５」(列２の上から１２行目)が、DSX22、DSX21の順番で、「５６」と示されている。
【０１７８】
同様に、図２２の表の列３「FSn0  FSn1」の上から１３行目には、DSX22のFSパターンである「１」(列２の上から１２行目)、およびDSX23のFSパターンである「５」(列２の上から１３行目)が、DSX23、DSX22の順番で、「１５」と示されている。
【０１７９】
同様に、図２２の表の列３「FSn0  FSn1」の上から１４行目には、DSX23のFSパターンである「１」(列２の上から１３行目)、およびDSX24のFSパターンである「１」(列２の上から１４行目)が、DSX24、DSX23の順番で、「１１」と示されている。
【０１８０】
同様に、図２２の表の列３「FSn0  FSn1」の上から１５行目には、DSX24のFSパターンである「１」(列２の上から１４行目)、およびDSX25のFSパターンである「６」(列２の上から１５行目)が、DSX25、DSX24の順番で、「６１」と示されている。
【０１８１】
同様に、図２２の表の列３「FSn0  FSn1」の上から１６行目には、DSX25のFSパターンである「６」(列２の上から１５行目)、およびDSX26のFSパターンである「２」(列２の上から１６行目)が、DSX26、DSX25の順番で、「２６」と示されている。
【０１８２】
同様に、図２２の表の列３「FSn0  FSn1」の上から１７行目には、DSX26のFSパターンである「２」(列２の上から１６行目)、およびDSX27のFSパターンである「６」(列２の上から１７行目)が、DSX27、DSX26の順番で、「６２」と示されている。
【０１８３】
同様に、図２２の表の列３「FSn0  FSn1」の上から１８行目には、DSX27のFSパターンである「６」(列２の上から１７行目)、およびDSX28のFSパターンである「４」(列２の上から１８行目)が、DSX28、DSX27の順番で、「４６」と示されている。
【０１８４】
同様に、図２２の表の列３「FSn0  FSn1」の上から１９行目には、DSX28のFSパターンである「４」(列２の上から１８行目)、およびDSX29のFSパターンである「４」(列２の上から１９行目)が、DSX29、DSX28の順番で、「４４」と示されている。
【０１８５】
同様に、図２２の表の列３「FSn0  FSn1」の上から２０行目には、DSX29のFSパターンである「４」(列２の上から１９行目)、およびDSX30のFSパターンである「２」(列２の上から２０行目)が、DSX30、DSX29の順番で、「２４」と示されている。
【０１８６】
図２１および図２２の表の列３「FSn0  FSn1」においては、以上のように、上からｎ行目(ただし、図２１および図２２を通して行番号をふった場合)には、列２の上からｎ-1行目のFSパターン、および列２の上からｎ行目のFSパターンが、「列２の上からｎ行目のFSパターン、列２の上からｎ-1行目のFSパターン」の順番で示されている。なお、nは３０までである。
【０１８７】
次に、図２１および図２２の表の列４「FSn0  FSn1  FSn2」には、列２に示されているFSパターンが、３つ並んだ場合の数字が示されている。すなわち、図２１の列４「FSn0  FSn1  FSn2」の上から３行目には、PrA0のFSパターンである「７」(列２の上から1行目)、PrA1のFSパターンである「７」(列２の上から２行目)、およびPrA2のFSパターンである「７」(列２の上から３行目)が、PrA2、PrA1、PrA0の順番で、「７７７」と示されている。
【０１８８】
同様に、列４「FSn0  FSn1  FSn2」の上から４行目には、PrA1のFSパターンである「７」(列２の上から２行目)、PrA2のFSパターンである「７」(列２の上から３行目)、およびPrA3のFSパターンである「７」(列２の上から４行目)が、PrA3、PrA2、PrA1の順番で、「７７７」と示されている。
【０１８９】
同様に、列４「FSn0  FSn1  FSn2」の上から５行目には、PrA2のFSパターンである「７」(列２の上から３行目)、PrA3のFSパターンである「７」(列２の上から４行目)、およびPrA4のFSパターンである「７」(列２の上から５行目)が、PrA4、PrA3、PrA2の順番で、「７７７」と示されている。
【０１９０】
同様に、列４「FSn0  FSn1  FSn2」の上から６行目には、PrA3のFSパターンである「７」(列２の上から４行目)、PrA4のFSパターンである「７」(列２の上から５行目)、およびPrA5のFSパターンである「１」(列２の上から６行目)が、PrA5、PrA4、PrA3の順番で、「１７７」と示されている。
【０１９１】
同様に、列４「FSn0  FSn1  FSn2」の上から７行目には、PrA4のFSパターンである「７」(列２の上から５行目)、PrA5のFSパターンである「１」(列２の上から６行目)、およびPrA6のFSパターンである「４」(列２の上から７行目)が、PrA6、PrA5、PrA4の順番で、「４１７」と示されている。
【０１９２】
同様に、列４「FSn0  FSn1  FSn2」の上から８行目には、PrA5のFSパターンである「１」(列２の上から６行目)、PrA6のFSパターンである「４」(列２の上から７行目)、およびPrA7のFSパターンである「７」(列２の上から８行目)が、PrA7、PrA6、PrA5の順番で、「７４１」と示されている。
【０１９３】
同様に、列４「FSn0  FSn1  FSn2」の上から９行目には、PrA6のFSパターンである「４」(列２の上から７行目)、PrA7のFSパターンである「７」(列２の上から８行目)、およびPrA8のFSパターンである「４」(列２の上から９行目)が、PrA8、PrA7、PrA6の順番で、「４７４」と示されている。
【０１９４】
同様に、列４「FSn0  FSn1  FSn2」の上から１０行目には、PrA7のFSパターンである「７」(列２の上から８行目)、PrA8のFSパターンである「４」(列２の上から９行目)、およびPrA9のFSパターンである「２」(列２の上から１０行目)が、PrA9、PrA8、PrA7の順番で、「２４７」と示されている。
【０１９５】
同様に、列４「FSn0  FSn1  FSn2」の上から１１行目には、PrA8のFSパターンである「４」(列２の上から９行目)、PrA9のFSパターンである「２」(列２の上から１０行目)、およびDSX0のFSパターンである「０」(列２の上から１１行目)が、DSX0、PrA9、PrA8の順番で、「０２４」と示されている。
【０１９６】
同様に、列４「FSn0  FSn1  FSn2」の上から１２行目には、PrA9のFSパターンである「２」(列２の上から１０行目)、DSX0のFSパターンである「０」(列２の上から１１行目)、およびDSX1のFSパターンである「１」(列２の上から１２行目)が、DSX1、DSX0、PrA9の順番で、「１０２」と示されている。
【０１９７】
同様に、列４「FSn0  FSn1  FSn2」の上から１３行目には、DSX0のFSパターンである「０」(列２の上から１１行目)、DSX1のFSパターンである「１」(列２の上から１２行目)、およびDSX2のFSパターンである「２」(列２の上から１３行目)が、DSX2、DSX1、DSX0の順番で、「２１０」と示されている。
【０１９８】
同様に、列４「FSn0  FSn1  FSn2」の上から１４行目には、DSX1のFSパターンである「１」(列２の上から１２行目)、DSX2のFSパターンである「２」(列２の上から１３行目)、およびDSX3のFSパターンである「３」(列２の上から１４行目)が、DSX3、DSX2、DSX1の順番で、「３２１」と示されている。
【０１９９】
同様に、列４「FSn0  FSn1  FSn2」の上から１５行目には、DSX2のFSパターンである「２」(列２の上から１３行目)、DSX3のFSパターンである「３」(列２の上から１４行目)、およびDSX4のFSパターンである「３」(列２の上から１５行目)が、DSX4、DSX3、DSX2の順番で、「３３２」と示されている。
【０２００】
同様に、列４「FSn0  FSn1  FSn2」の上から１６行目には、DSX3のFSパターンである「３」(列２の上から１４行目)、DSX4のFSパターンである「３」(列２の上から１５行目)、およびDSX5のFSパターンである「１」(列２の上から１６行目)が、DSX5、DSX4、DSX3の順番で、「１３３」と示されている。
【０２０１】
同様に、列４「FSn0  FSn1  FSn2」の上から１７行目には、DSX4のFSパターンである「３」(列２の上から１５行目)、DSX5のFSパターンである「１」(列２の上から１６行目)、およびDSX6のFSパターンである「４」(列２の上から１７行目)が、DSX6、DSX5、DSX4の順番で、「４１３」と示されている。
【０２０２】
同様に、列４「FSn0  FSn1  FSn2」の上から１８行目には、DSX5のFSパターンである「１」(列２の上から１６行目)、DSX6のFSパターンである「４」(列２の上から１７行目)、およびDSX7のFSパターンである「１」(列２の上から１８行目)が、DSX7、DSX6、DSX5の順番で、「１４１」と示されている。
【０２０３】
同様に、列４「FSn0  FSn1  FSn2」の上から１９行目には、DSX6のFSパターンである「４」(列２の上から１７行目)、DSX7のFSパターンである「１」(列２の上から１８行目)、およびDSX8のFSパターンである「５」(列２の上から１９行目)が、DSX8、DSX7、DSX6の順番で、「５１４」と示されている。
【０２０４】
同様に、列４「FSn0  FSn1  FSn2」の上から２０行目には、DSX7のFSパターンである「１」(列２の上から１８行目)、DSX8のFSパターンである「５」(列２の上から１９行目)、およびDSX9のFSパターンである「５」(列２の上から２０行目)が、DSX9、DSX8、DSX7の順番で、「５５１」と示されている。
【０２０５】
同様に、列４「FSn0  FSn1  FSn2」の上から２１行目には、DSX8のFSパターンである「５」(列２の上から１９行目)、DSX9のFSパターンである「５」(列２の上から２０行目)、およびDSX10のFSパターンである「４」(列２の上から２１行目)が、DSX10、DSX9、DSX8の順番で、「４５５」と示されている。
【０２０６】
引き続き、図２２に進み、列４「FSn0  FSn1  FSn2」の上から１行目には、DSX9のFSパターンである「５」(図２１の列２の上から２０行目)、DSX10のFSパターンである「４」(図２１の列２の上から２１行目)、およびDSX11のFSパターンである「３」(図２２の列２の上から１行目)が、DSX11、DSX10、DSX9の順番で、「３４５」と示されている。
【０２０７】
同様に、列４「FSn0  FSn1  FSn2」の上から２行目には、DSX10のFSパターンである「４」(図２１の列２の上から２１行目)、DSX11のFSパターンである「３」(図２２の列２の上から１行目)、およびDSX12のFSパターンである「４」(図２２の列２の上から２行目)が、DSX12、DSX11、DSX10の順番で、「４３４」と示されている。
【０２０８】
同様に、列４「FSn0  FSn1  FSn2」の上から３行目には、DSX11のFSパターンである「３」(列２の上から１行目)、DSX12のFSパターンである「４」(列２の上から２行目)、およびDSX13のFSパターンである「６」(列２の上から３行目)が、DSX13、DSX12、DSX11の順番で、「６４３」と示されている。
【０２０９】
同様に、列４「FSn0  FSn1  FSn2」の上から４行目には、DSX12のFSパターンである「４」(列２の上から２行目)、DSX13のFSパターンである「６」(列２の上から３行目)、およびDSX14のFSパターンである「６」(列２の上から４行目)が、DSX14、DSX13、DSX12の順番で、「６６４」と示されている。
【０２１０】
同様に、列４「FSn0  FSn1  FSn2」の上から５行目には、DSX13のFSパターンである「６」(列２の上から３行目)、DSX14のFSパターンである「６」(列２の上から４行目)、およびDSX15のFSパターンである「３」(列２の上から５行目)が、DSX15、DSX14、DSX13の順番で、「３６６」と示されている。
【０２１１】
同様に、列４「FSn0  FSn1  FSn2」の上から６行目には、DSX14のFSパターンである「６」(列２の上から４行目)、DSX15のFSパターンである「３」(列２の上から５行目)、およびDSX16のFSパターンである「５」(列２の上から６行目)が、DSX16、DSX15、DSX14の順番で、「５３６」と示されている。
【０２１２】
同様に、列４「FSn0  FSn1  FSn2」の上から７行目には、DSX15のFSパターンである「３」(列２の上から５行目)、DSX16のFSパターンである「５」(列２の上から６行目)、およびDSX17のFSパターンである「３」(列２の上から７行目)が、DSX17、DSX16、DSX15の順番で、「３５３」と示されている。
【０２１３】
同様に、列４「FSn0  FSn1  FSn2」の上から８行目には、DSX16のFSパターンである「５」(列２の上から６行目)、DSX17のFSパターンである「３」(列２の上から７行目)、およびDSX18のFSパターンである「２」(列２の上から８行目)が、DSX18、DSX17、DSX16の順番で、「２３５」と示されている。
【０２１４】
同様に、列４「FSn0  FSn1  FSn2」の上から９行目には、DSX17のFSパターンである「３」(列２の上から７行目)、DSX18のFSパターンである「２」(列２の上から８行目)、およびDSX19のFSパターンである「２」(列２の上から９行目)が、DSX19、DSX18、DSX17の順番で、「２２３」と示されている。
【０２１５】
同様に、列４「FSn0  FSn1  FSn2」の上から１０行目には、DSX18のFSパターンである「２」(列２の上から８行目)、DSX19のFSパターンである「２」(列２の上から９行目)、およびDSX20のFSパターンである「５」(列２の上から１０行目)が、DSX20、DSX19、DSX18の順番で、「５２２」と示されている。
【０２１６】
同様に、列４「FSn0  FSn1  FSn2」の上から１１行目には、DSX19のFSパターンである「２」(列２の上から９行目)、DSX20のFSパターンである「５」(列２の上から１０行目)、およびDSX21のFSパターンである「６」(列２の上から１１行目)が、DSX21、DSX20、DSX19の順番で、「６５２」と示されている。
【０２１７】
同様に、列４「FSn0  FSn1  FSn2」の上から１２行目には、DSX20のFSパターンである「５」(列２の上から１０行目)、DSX21のFSパターンである「６」(列２の上から１１行目)、およびDSX22のFSパターンである「５」(列２の上から１２行目)が、DSX22、DSX21、DSX20の順番で、「５６５」と示されている。
【０２１８】
同様に、列４「FSn0  FSn1  FSn2」の上から１３行目には、DSX21のFSパターンである「６」(列２の上から１１行目)、DSX22のFSパターンである「５」(列２の上から１２行目)、およびDSX23のFSパターンである「１」(列２の上から１３行目)が、DSX23、DSX22、DSX21の順番で、「１５６」と示されている。
【０２１９】
同様に、列４「FSn0  FSn1  FSn2」の上から１４行目には、DSX22のFSパターンである「５」(列２の上から１２行目)、DSX23のFSパターンである「１」(列２の上から１３行目)、およびDSX24のFSパターンである「１」(列２の上から１４行目)が、DSX24、DSX23、DSX22の順番で、「１１５」と示されている。
【０２２０】
同様に、列４「FSn0  FSn1  FSn2」の上から１５行目には、DSX23のFSパターンである「１」(列２の上から１３行目)、DSX24のFSパターンである「１」(列２の上から１４行目)、およびDSX25のFSパターンである「６」(列２の上から１５行目)が、DSX25、DSX24、DSX23の順番で、「６１１」と示されている。
【０２２１】
同様に、列４「FSn0  FSn1  FSn2」の上から１６行目には、DSX24のFSパターンである「１」(列２の上から１４行目)、DSX25のFSパターンである「６」(列２の上から１５行目)、およびDSX26のFSパターンである「２」(列２の上から１６行目)が、DSX26、DSX25、DSX24の順番で、「２６１」と示されている。
【０２２２】
同様に、列４「FSn0  FSn1  FSn2」の上から１７行目には、DSX25のFSパターンである「６」(列２の上から１５行目)、DSX26のFSパターンである「２」(列２の上から１６行目)、およびDSX27のFSパターンである「６」(列２の上から１７行目)が、DSX27、DSX26、DSX25の順番で、「６２６」と示されている。
【０２２３】
同様に、列４「FSn0  FSn1  FSn2」の上から１８行目には、DSX26のFSパターンである「２」(列２の上から１６行目)、DSX27のFSパターンである「６」(列２の上から１７行目)、およびDSX28のFSパターンである「４」(列２の上から１８行目)が、DSX28、DSX27、DSX26の順番で、「４６２」と示されている。
【０２２４】
同様に、列４「FSn0  FSn1  FSn2」の上から１９行目には、DSX27のFSパターンである「６」(列２の上から１７行目)、DSX28のFSパターンである「４」(列２の上から１８行目)、およびDSX29のFSパターンである「４」(列２の上から１９行目)が、DSX29、DSX28、DSX27の順番で、「４４６」と示されている。
【０２２５】
同様に、列４「FSn0  FSn1  FSn2」の上から２０行目には、DSX28のFSパターンである「４」(列２の上から１８行目)、DSX29のFSパターンである「４」(列２の上から１９行目)、およびDSX30のFSパターンである「２」(列２の上から２０行目)が、DSX30、DSX29、DSX28の順番で、「２４４」と示されている。
【０２２６】
以上のように、図２１および図２２の列４「FSn0  FSn1  FSn2」の上からｎ行目(ただし、図２１および図２２を通して行番号をふった場合)には、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン」の順番で示されている。なお、nは３０までである。
【０２２７】
図２１および図２２の表の列５「FSn0  FSn1  FSn2  FSn3」には、列２に示されているFSパターンが、４つ並んだ場合の数字が示されている。すなわち、図２１の列５「FSn0  FSn1  FSn2  FSn3」の上から４行目には、PrA0のFSパターンである「７」(列２の上から1行目)、PrA1のFSパターンである「７」(列２の上から２行目)、PrA2のFSパターンである「７」(列２の上から３行目)、およびPrA3のFSパターンである「７」(列２の上から４行目)が、PrA3、PrA2、PrA1、PrA0の順番で、「７７７７」と示されている。
【０２２８】
同様に、列５「FSn0  FSn1  FSn2  FSn3」の上から５行目には、PrA1のFSパターンである「７」(列２の上から２行目)、PrA2のFSパターンである「７」(列２の上から３行目)、PrA3のFSパターンである「７」(列２の上から４行目)、およびPrA4のFSパターンである「７」(列２の上から５行目)が、PrA4、PrA3、PrA2、PrA1の順番で、「７７７７」と示されている。
【０２２９】
同様に、列５「FSn0  FSn1  FSn2  FSn3」の上から６行目には、PrA2のFSパターンである「７」(列２の上から３行目)PrA3のFSパターンである「７」(列２の上から４行目)、PrA4のFSパターンである「７」(列２の上から５行目)、およびPrA5のFSパターンである「１」(列２の上から６行目)が、PrA5、PrA4、PrA3、PrA2の順番で、「１７７７」と示されている。
【０２３０】
同様に、列５「FSn0  FSn1  FSn2  FSn3」の上から７行目には、PrA3のFSパターンである「７」(列２の上から４行目)、PrA4のFSパターンである「７」(列２の上から５行目)、PrA5のFSパターンである「１」(列２の上から６行目)、およびPrA6のFSパターンである「４」(列２の上から７行目)が、PrA6、PrA5、PrA4、PrA3の順番で、「４１７７」と示されている。
【０２３１】
同様に、列５「FSn0  FSn1  FSn2  FSn3」の上から８行目には、PrA4のFSパターンである「７」(列２の上から５行目)、PrA5のFSパターンである「１」(列２の上から６行目)、PrA6のFSパターンである「４」(列２の上から７行目)、およびPrA7のFSパターンである「７」(列２の上から８行目)が、PrA7、PrA6、PrA5、PrA4の順番で、「７４１７」と示されている。
【０２３２】
同様に、列５「FSn0  FSn1  FSn2  FSn3」の上から９行目には、PrA5のFSパターンである「１」(列２の上から６行目)、PrA6のFSパターンである「４」(列２の上から７行目)、PrA7のFSパターンである「７」(列２の上から８行目)、およびPrA8のFSパターンである「４」(列２の上から９行目)が、PrA8、PrA7、PrA6、PrA5の順番で、「４７４１」と示されている。
【０２３３】
同様に、列５「FSn0  FSn1  FSn2  FSn3」の上から１０行目には、PrA6のFSパターンである「４」(列２の上から７行目)、PrA7のFSパターンである「７」(列２の上から８行目)、PrA8のFSパターンである「４」(列２の上から９行目)、およびPrA9のFSパターンである「２」(列２の上から１０行目)が、PrA9、PrA8、PrA7、PrA6の順番で、「２４７４」と示されている。
【０２３４】
同様に、列５「FSn0  FSn1  FSn2  FSn3」の上から１１行目には、PrA7のFSパターンである「７」(列２の上から８行目)、PrA8のFSパターンである「４」(列２の上から９行目)、PrA9のFSパターンである「２」(列２の上から１０行目)、およびDSX0のFSパターンである「０」(列２の上から１１行目)が、DSX0、PrA9、PrA8、PrA7の順番で、「０２４７」と示されている。
【０２３５】
同様に、列５「FSn0  FSn1  FSn2  FSn3」の上から１２行目には、PrA8のFSパターンである「４」(列２の上から９行目)、PrA9のFSパターンである「２」(列２の上から１０行目)、DSX0のFSパターンである「０」(列２の上から１１行目)、およびDSX1のFSパターンである「１」(列２の上から１２行目)が、DSX1、DSX0、PrA9、PrA8の順番で、「１０２４」と示されている。
【０２３６】
同様に、列５「FSn0  FSn1  FSn2  FSn3」の上から１３行目には、PrA9のFSパターンである「２」(列２の上から１０行目)、DSX0のFSパターンである「０」(列２の上から１１行目)、DSX1のFSパターンである「１」(列２の上から１２行目)、およびDSX2のFSパターンである「２」(列２の上から１３行目)が、DSX2、DSX1、DSX0、PrA9の順番で、「２１０２」と示されている。
【０２３７】
同様に、列５「FSn0  FSn1  FSn2  FSn3」の上から１４行目には、DSX0のFSパターンである「０」(列２の上から１１行目)、DSX1のFSパターンである「１」(列２の上から１２行目)、DSX2のFSパターンである「２」(列２の上から１３行目)、およびDSX3のFSパターンである「３」(列２の上から１４行目)が、DSX3、DSX2、DSX1、DSX0の順番で、「３２１０」と示されている。
【０２３８】
同様に、列５「FSn0  FSn1  FSn2  FSn3」の上から１５行目には、DSX1のFSパターンである「１」(列２の上から１２行目)、DSX2のFSパターンである「２」(列２の上から１３行目)、DSX3のFSパターンである「３」(列２の上から１４行目)、およびDSX4のFSパターンである「３」(列２の上から１５行目)が、DSX4、DSX3、DSX2、DSX1の順番で、「３３２１」と示されている。
【０２３９】
同様に、列５「FSn0  FSn1  FSn2  FSn3」の上から１６行目には、DSX2のFSパターンである「２」(列２の上から１３行目)、DSX3のFSパターンである「３」(列２の上から１４行目)、DSX4のFSパターンである「３」(列２の上から１５行目)、およびDSX5のFSパターンである「１」(列２の上から１６行目)が、DSX5、DSX4、DSX3、DSX2の順番で、「１３３２」と示されている。
【０２４０】
同様に、列５「FSn0  FSn1  FSn2  FSn3」の上から１７行目には、DSX3のFSパターンである「３」(列２の上から１４行目)、DSX4のFSパターンである「３」(列２の上から１５行目)、DSX5のFSパターンである「１」(列２の上から１６行目)、およびDSX6のFSパターンである「４」(列２の上から１７行目)が、DSX6、DSX5、DSX4、DSX3の順番で、「４１３３」と示されている。
【０２４１】
同様に、列５「FSn0  FSn1  FSn2  FSn3」の上から１８行目には、DSX4のFSパターンである「３」(列２の上から１５行目)、DSX5のFSパターンである「１」(列２の上から１６行目)、DSX6のFSパターンである「４」(列２の上から１７行目)、およびDSX7のFSパターンである「１」(列２の上から１８行目)が、DSX7、DSX6、DSX5、DSX4の順番で、「１４１３」と示されている。
【０２４２】
同様に、列５「FSn0  FSn1  FSn2  FSn3」の上から１９行目には、DSX5のFSパターンである「１」(列２の上から１６行目)、DSX6のFSパターンである「４」(列２の上から１７行目)、DSX7のFSパターンである「１」(列２の上から１８行目)、およびDSX8のFSパターンである「５」(列２の上から１９行目)が、DSX8、DSX7、DSX6、DSX5の順番で、「５１４１」と示されている。
【０２４３】
同様に、列５「FSn0  FSn1  FSn2  FSn3」の上から２０行目には、DSX6のFSパターンである「４」(列２の上から１７行目)、DSX7のFSパターンである「１」(列２の上から１８行目)、DSX8のFSパターンである「５」(列２の上から１９行目)、およびDSX9のFSパターンである「５」(列２の上から２０行目)が、DSX9、DSX8、DSX7、DSX6の順番で、「５５１４」と示されている。
【０２４４】
同様に、列５「FSn0  FSn1  FSn2  FSn3」の上から２１行目には、DSX7のFSパターンである「１」(列２の上から１８行目)、DSX8のFSパターンである「５」(列２の上から１９行目)、DSX9のFSパターンである「５」(列２の上から２０行目)、およびDSX10のFSパターンである「４」(列２の上から２１行目)が、DSX10、DSX9、DSX8、DSX7の順番で、「４５５１」と示されている。
【０２４５】
引き続き、図２２に進み、図２２の列５「FSn0  FSn1  FSn2  FSn3」の上から１行目には、DSX8のFSパターンである「５」(図２１の列２の上から１９行目)、DSX9のFSパターンである「５」(図２１の列２の上から２０行目)、DSX10のFSパターンである「４」(図２１の列２の上から２１行目)、およびDSX11のFSパターンである「３」(図２２の列２の上から１行目)が、DSX11、DSX10、DSX9、DSX8の順番で、「３４５５」と示されている。
【０２４６】
同様に、列５「FSn0  FSn1  FSn2  FSn3」の上から２行目には、DSX9のFSパターンである「５」(図２１の列２の上から２０行目)、DSX10のFSパターンである「４」(図２１の列２の上から２１行目)、DSX11のFSパターンである「３」(図２２の列２の上から１行目)、およびDSX12のFSパターンである「４」(図２２の列２の上から２行目)が、DSX12、DSX11、DSX10、DSX9の順番で、「４３４５」と示されている。
【０２４７】
同様に、列５「FSn0  FSn1  FSn2  FSn3」の上から３行目には、DSX10のFSパターンである「４」(図２１の列２の上から２１行目)、DSX11のFSパターンである「３」(図２２の列２の上から１行目)、DSX12のFSパターンである「４」(図２２の列２の上から２行目)、およびDSX13のFSパターンである「６」(図２２の列２の上から３行目)が、DSX13、DSX12、DSX11、DSX10の順番で、「６４３４」と示されている。
【０２４８】
同様に、列５「FSn0  FSn1  FSn2  FSn3」の上から４行目には、DSX11のFSパターンである「３」(列２の上から１行目)、DSX12のFSパターンである「４」(列２の上から２行目)、DSX13のFSパターンである「６」(列２の上から３行目)、およびDSX14のFSパターンである「６」(列２の上から４行目)が、DSX14、DSX13、DSX12、DSX11の順番で、「６６４３」と示されている。
【０２４９】
同様に、列５「FSn0  FSn1  FSn2  FSn3」の上から５行目には、DSX12のFSパターンである「４」(列２の上から２行目)、DSX13のFSパターンである「６」(列２の上から３行目)、DSX14のFSパターンである「６」(列２の上から４行目)、およびDSX15のFSパターンである「３」(列２の上から５行目)が、DSX15、DSX14、DSX13、DSX12の順番で、「３６６４」と示されている。
【０２５０】
同様に、列５「FSn0  FSn1  FSn2  FSn3」の上から６行目には、DSX13のFSパターンである「６」(列２の上から３行目)、DSX14のFSパターンである「６」(列２の上から４行目)、DSX15のFSパターンである「３」(列２の上から５行目)、およびDSX16のFSパターンである「５」(列２の上から６行目)が、DSX16、DSX15、DSX14、DSX13の順番で、「５３６６」と示されている。
【０２５１】
同様に、列５「FSn0  FSn1  FSn2  FSn3」の上から７行目には、DSX14のFSパターンである「６」(列２の上から４行目)、DSX15のFSパターンである「３」(列２の上から５行目)、DSX16のFSパターンである「５」(列２の上から６行目)、およびDSX17のFSパターンである「３」(列２の上から７行目)が、DSX17、DSX16、DSX15、DSX14の順番で、「３５３６」と示されている。
【０２５２】
同様に、列５「FSn0  FSn1  FSn2  FSn3」の上から８行目には、DSX15のFSパターンである「３」(列２の上から５行目)、DSX16のFSパターンである「５」(列２の上から６行目)、DSX17のFSパターンである「３」(列２の上から７行目)、およびDSX18のFSパターンである「２」(列２の上から８行目)が、DSX18、DSX17、DSX16、DSX15の順番で、「２３５３」と示されている。
【０２５３】
同様に、列５「FSn0  FSn1  FSn2  FSn3」の上から９行目には、DSX16のFSパターンである「５」(列２の上から６行目)、DSX17のFSパターンである「３」(列２の上から７行目)、DSX18のFSパターンである「２」(列２の上から８行目)、およびDSX19のFSパターンである「２」(列２の上から９行目)が、DSX19、DSX18、DSX17、DSX16の順番で、「２２３５」と示されている。
【０２５４】
同様に、列５「FSn0  FSn1  FSn2  FSn3」の上から１０行目には、DSX17のFSパターンである「３」(列２の上から７行目)、DSX18のFSパターンである「２」(列２の上から８行目)、DSX19のFSパターンである「２」(列２の上から９行目)、およびDSX20のFSパターンである「５」(列２の上から１０行目)が、DSX20、DSX19、DSX18、DSX17の順番で、「５２２３」と示されている。
【０２５５】
同様に、列５「FSn0  FSn1  FSn2  FSn3」の上から１１行目には、DSX18のFSパターンである「２」(列２の上から８行目)、DSX19のFSパターンである「２」(列２の上から９行目)、DSX20のFSパターンである「５」(列２の上から１０行目)、およびDSX21のFSパターンである「６」(列２の上から１１行目)が、DSX21、DSX20、DSX19、DSX18の順番で、「６５２２」と示されている。
【０２５６】
同様に、列５「FSn0  FSn1  FSn2  FSn3」の上から１２行目には、DSX19のFSパターンである「２」(列２の上から９行目)、DSX20のFSパターンである「５」(列２の上から１０行目)、DSX21のFSパターンである「６」(列２の上から１１行目)、およびDSX22のFSパターンである「５」(列２の上から１２行目)が、DSX22、DSX21、DSX20、DSX19の順番で、「５６５２」と示されている。
【０２５７】
同様に、列５「FSn0  FSn1  FSn2  FSn3」の上から１３行目には、DSX20のFSパターンである「５」(列２の上から１０行目)、DSX21のFSパターンである「６」(列２の上から１１行目)、DSX22のFSパターンである「５」(列２の上から１２行目)、およびDSX23のFSパターンである「１」(列２の上から１３行目)が、DSX23、DSX22、DSX21、DSX20の順番で、「１５６５」と示されている。
【０２５８】
同様に、列５「FSn0  FSn1  FSn2  FSn3」の上から１４行目には、DSX21のFSパターンである「６」(列２の上から１１行目)、DSX22のFSパターンである「５」(列２の上から１２行目)、DSX23のFSパターンである「１」(列２の上から１３行目)、およびDSX24のFSパターンである「１」(列２の上から１４行目)が、DSX24、DSX23、DSX22、DSX21の順番で、「１１５６」と示されている。
【０２５９】
同様に、列５「FSn0  FSn1  FSn2  FSn3」の上から１５行目には、DSX22のFSパターンである「５」(列２の上から１２行目)、DSX23のFSパターンである「１」(列２の上から１３行目)、DSX24のFSパターンである「１」(列２の上から１４行目)、およびDSX25のFSパターンである「６」(列２の上から１５行目)が、DSX25、DSX24、DSX23、DSX22の順番で、「６１１５」と示されている。
【０２６０】
同様に、列５「FSn0  FSn1  FSn2  FSn3」の上から１６行目には、DSX23のFSパターンである「１」(列２の上から１３行目)、DSX24のFSパターンである「１」(列２の上から１４行目)、DSX25のFSパターンである「６」(列２の上から１５行目)、およびDSX26のFSパターンである「２」(列２の上から１６行目)が、DSX26、DSX25、DSX24、DSX23の順番で、「２６１１」と示されている。
【０２６１】
同様に、列５「FSn0  FSn1  FSn2  FSn3」の上から１７行目には、DSX24のFSパターンである「１」(列２の上から１４行目)、DSX25のFSパターンである「６」(列２の上から１５行目)、DSX26のFSパターンである「２」(列２の上から１６行目)、およびDSX27のFSパターンである「６」(列２の上から１７行目)が、DSX27、DSX26、DSX25、DSX24の順番で、「６２６１」と示されている。
【０２６２】
同様に、列５「FSn0  FSn1  FSn2  FSn3」の上から１８行目には、DSX25のFSパターンである「６」(列２の上から１５行目)、DSX26のFSパターンである「２」(列２の上から１６行目)、DSX27のFSパターンである「６」(列２の上から１７行目)、およびDSX28のFSパターンである「４」(列２の上から１８行目)が、DSX28、DSX27、DSX26、DSX25の順番で、「４６２６」と示されている。
【０２６３】
同様に、列５「FSn0  FSn1  FSn2  FSn3」の上から１９行目には、DSX26のFSパターンである「２」(列２の上から１６行目)、DSX27のFSパターンである「６」(列２の上から１７行目)、DSX28のFSパターンである「４」(列２の上から１８行目)、およびDSX29のFSパターンである「４」(列２の上から１９行目)が、DSX29、DSX28、DSX27、DSX26の順番で、「４４６２」と示されている。
【０２６４】
同様に、列５「FSn0  FSn1  FSn2  FSn3」の上から２０行目には、DSX27のFSパターンである「６」(列２の上から１７行目)、DSX28のFSパターンである「４」(列２の上から１８行目)、DSX29のFSパターンである「４」(列２の上から１９行目)、およびDSX30のFSパターンである「２」(列２の上から２０行目)が、DSX30、DSX29、DSX28、DSX27の順番で、「２４４６」と示されている。
【０２６５】
以上のように、図２１および図２２においては、列５「FSn0  FSn1  FSn2  FSn3」の上からｎ行目(ただし、図２１および図２２を通して行番号をふった場合)には、列２の上からｎ-3行目のFSパターン、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン、列２の上からｎ-3行目のFSパターン」の順番で示されている。なお、nは３０までである。
【０２６６】
次に、図２１および図２２の表の列６「FSn0  FSn1  FSn3  FSn4」には、列２に示されているFSパターンが、４つ並んだ場合の数字が示されている。すなわち、図２１の列６「FSn0  FSn1  FSn3  FSn4」の上から５行目には、PrA0のFSパターンである「７」(列２の上から1行目)、PrA1のFSパターンである「７」(列２の上から２行目)、PrA3のFSパターンである「７」(列２の上から４行目)、およびPrA4のFSパターンである「７」(列２の上から５行目)が、PrA4、PrA3、PrA1、PrA0の順番で、「７７７７」と示されている。
【０２６７】
同様に、列６「FSn0  FSn1  FSn3  FSn4」の上から６行目には、PrA1のFSパターンである「７」(列２の上から２行目)、PrA2のFSパターンである「７」(列２の上から３行目)、PrA4のFSパターンである「７」(列２の上から５行目)、およびPrA5のFSパターンである「１」(列２の上から６行目)が、PrA5、PrA4、PrA2、PrA1の順番で、「１７７７」と示されている。
【０２６８】
同様に、列６「FSn0  FSn1  FSn3  FSn4」の上から７行目には、PrA2のFSパターンである「７」(列２の上から３行目)、PrA3のFSパターンである「７」(列２の上から４行目)、PrA5のFSパターンである「１」(列２の上から６行目)、およびPrA6のFSパターンである「４」(列２の上から７行目)が、PrA6、PrA5、PrA3、PrA2の順番で、「４１７７」と示されている。
【０２６９】
同様に、列６「FSn0  FSn1  FSn3  FSn4」の上から８行目には、PrA3のFSパターンである「７」(列２の上から４行目)、PrA4のFSパターンである「７」(列２の上から５行目)、PrA6のFSパターンである「４」(列２の上から７行目)、およびPrA7のFSパターンである「７」(列２の上から８行目)が、PrA7、PrA6、PrA4、PrA3の順番で、「７４７７」と示されている。
【０２７０】
同様に、列６「FSn0  FSn1  FSn3  FSn4」の上から９行目には、PrA4のFSパターンである「７」(列２の上から５行目)、PrA5のFSパターンである「１」(列２の上から６行目)、PrA7のFSパターンである「７」(列２の上から８行目)、およびPrA8のFSパターンである「４」(列２の上から９行目)が、PrA8、PrA7、PrA5、PrA4の順番で、「４７１７」と示されている。
【０２７１】
同様に、列６「FSn0  FSn1  FSn3  FSn4」の上から１０行目には、PrA5のFSパターンである「１」(列２の上から６行目)、PrA6のFSパターンである「４」(列２の上から７行目)、PrA8のFSパターンである「４」(列２の上から９行目)、およびPrA9のFSパターンである「２」(列２の上から１０行目)が、PrA9、PrA8、PrA6、PrA5の順番で、「２４４１」と示されている。
【０２７２】
同様に、列６「FSn0  FSn1  FSn3  FSn4」の上から１１行目には、PrA6のFSパターンである「４」(列２の上から７行目)、PrA7のFSパターンである「７」(列２の上から８行目)、PrA9のFSパターンである「２」(列２の上から１０行目)、およびDSX0のFSパターンである「０」(列２の上から１１行目)が、DSX0、PrA9、PrA7、PrA6の順番で、「０２７４」と示されている。
【０２７３】
同様に、列６「FSn0  FSn1  FSn3  FSn4」の上から１２行目には、PrA7のFSパターンである「７」(列２の上から８行目)、PrA8のFSパターンである「４」(列２の上から９行目)、DSX0のFSパターンである「０」(列２の上から１１行目)、およびDSX1のFSパターンである「１」(列２の上から１２行目)が、DSX1、DSX0、PrA8、PrA7の順番で、「１０４７」と示されている。
【０２７４】
同様に、列６「FSn0  FSn1  FSn3  FSn4」の上から１３行目には、PrA8のFSパターンである「４」(列２の上から９行目)、PrA9のFSパターンである「２」(列２の上から１０行目)、DSX1のFSパターンである「１」(列２の上から１２行目)、およびDSX2のFSパターンである「２」(列２の上から１３行目)が、DSX2、DSX1、PrA9、PrA8の順番で、「２１２４」と示されている。
【０２７５】
同様に、列６「FSn0  FSn1  FSn3  FSn4」の上から１４行目には、PrA9のFSパターンである「２」(列２の上から１０行目)、DSX0のFSパターンである「０」(列２の上から１１行目)、DSX2のFSパターンである「２」(列２の上から１３行目)、およびDSX3のFSパターンである「３」(列２の上から１４行目)が、DSX3、DSX2、DSX0、PrA9の順番で、「３２０２」と示されている。
【０２７６】
同様に、列６「FSn0  FSn1  FSn3  FSn4」の上から１５行目には、DSX0のFSパターンである「０」(列２の上から１１行目)、DSX1のFSパターンである「１」(列２の上から１２行目)、DSX3のFSパターンである「３」(列２の上から１４行目)、およびDSX4のFSパターンである「３」(列２の上から１５行目)が、DSX4、DSX3、DSX1、DSX0の順番で、「３３１０」と示されている。
【０２７７】
同様に、列６「FSn0  FSn1  FSn3  FSn4」の上から１６行目には、DSX1のFSパターンである「１」(列２の上から１２行目)、DSX2のFSパターンである「２」(列２の上から１３行目)、DSX4のFSパターンである「３」(列２の上から１５行目)、およびDSX5のFSパターンである「１」(列２の上から１６行目)が、DSX5、DSX4、DSX2、DSX1の順番で、「１３２１」と示されている。
【０２７８】
同様に、列６「FSn0  FSn1  FSn3  FSn4」の上から１７行目には、DSX2のFSパターンである「２」(列２の上から１３行目)、DSX3のFSパターンである「３」(列２の上から１４行目)、DSX5のFSパターンである「１」(列２の上から１６行目)、およびDSX6のFSパターンである「４」(列２の上から１７行目)が、DSX6、DSX5、DSX3、DSX2の順番で、「４１３２」と示されている。
【０２７９】
同様に、列６「FSn0  FSn1  FSn3  FSn4」の上から１８行目には、DSX3のFSパターンである「３」(列２の上から１４行目)、DSX4のFSパターンである「３」(列２の上から１５行目)、DSX6のFSパターンである「４」(列２の上から１７行目)、およびDSX7のFSパターンである「１」(列２の上から１８行目)が、DSX7、DSX6、DSX4、DSX3の順番で、「１４３３」と示されている。
【０２８０】
同様に、列６「FSn0  FSn1  FSn3  FSn4」の上から１９行目には、DSX4のFSパターンである「３」(列２の上から１５行目)、DSX5のFSパターンである「１」(列２の上から１６行目)、DSX7のFSパターンである「１」(列２の上から１８行目)、およびDSX8のFSパターンである「５」(列２の上から１９行目)が、DSX8、DSX7、DSX5、DSX4の順番で、「５１１３」と示されている。
【０２８１】
同様に、列６「FSn0  FSn1  FSn3  FSn4」の上から２０行目には、DSX5のFSパターンである「１」(列２の上から１６行目)、DSX6のFSパターンである「４」(列２の上から１７行目)、DSX8のFSパターンである「５」(列２の上から１９行目)、およびDSX9のFSパターンである「５」(列２の上から２０行目)が、DSX9、DSX8、DSX6、DSX5の順番で、「５５４１」と示されている。
【０２８２】
同様に、列６「FSn0  FSn1  FSn3  FSn4」の上から２１行目には、DSX6のFSパターンである「４」(列２の上から１７行目)、DSX7のFSパターンである「１」(列２の上から１８行目)、DSX9のFSパターンである「５」(列２の上から２０行目)、およびDSX10のFSパターンである「４」(列２の上から２１行目)が、DSX10、DSX9、DSX7、DSX6の順番で、「４５１４」と示されている。
【０２８３】
引き続き、図２２に進み、図２２の列６「FSn0  FSn1  FSn3  FSn4」の上から１行目には、DSX7のFSパターンである「１」(図２１の列２の上から１８行目)、DSX8のFSパターンである「５」(図２１の列２の上から１９行目)、DSX10のFSパターンである「４」(図２１の列２の上から２１行目)、およびDSX11のFSパターンである「３」(図２２の列２の上から１行目)が、DSX11、DSX10、DSX8、DSX7の順番で、「３４５１」と示されている。
【０２８４】
同様に、図２２の列６「FSn0  FSn1  FSn3  FSn4」の上から２行目には、DSX8のFSパターンである「５」(図２１の列２の上から１９行目)、DSX9のFSパターンである「５」(図２１の列２の上から２０行目)、DSX11のFSパターンである「３」(図２２の列２の上から１行目)、およびDSX12のFSパターンである「４」(図２２の列２の上から２行目)が、DSX12、DSX11、DSX9、DSX8の順番で、「４３５５」と示されている。
【０２８５】
同様に、図２２の列６「FSn0  FSn1  FSn3  FSn4」の上から３行目には、DSX9のFSパターンである「５」(図２１の列２の上から２０行目)、DSX10のFSパターンである「４」(図２１の列２の上から２１行目)、DSX12のFSパターンである「４」(図２２の列２の上から２行目)、およびDSX13のFSパターンである「６」(図２２の列２の上から３行目)が、DSX13、DSX12、DSX10、DSX9の順番で、「６４４５」と示されている。
【０２８６】
同様に、図２２の列６「FSn0  FSn1  FSn3  FSn4」の上から４行目には、DSX10のFSパターンである「４」(図２１の列２の上から２１行目)、DSX11のFSパターンである「３」(図２２の列２の上から１行目)、DSX13のFSパターンである「６」(図２２の列２の上から３行目)、およびDSX14のFSパターンである「６」(図２２の列２の上から４行目)が、DSX14、DSX13、DSX11、DSX10の順番で、「６６３４」と示されている。
【０２８７】
同様に、列６「FSn0  FSn1  FSn3  FSn4」の上から５行目には、DSX11のFSパターンである「３」(列２の上から１行目)、DSX12のFSパターンである「４」(列２の上から２行目)、DSX14のFSパターンである「６」(列２の上から４行目)、およびDSX15のFSパターンである「３」(列２の上から５行目)が、DSX15、DSX14、DSX12、DSX11の順番で、「３６４３」と示されている。
【０２８８】
同様に、列６「FSn0  FSn1  FSn3  FSn4」の上から６行目には、DSX12のFSパターンである「４」(列２の上から２行目)、DSX13のFSパターンである「６」(列２の上から３行目)、DSX15のFSパターンである「３」(列２の上から５行目)、およびDSX16のFSパターンである「５」(列２の上から６行目)が、DSX16、DSX15、DSX13、DSX12の順番で、「５３６４」と示されている。
【０２８９】
同様に、列６「FSn0  FSn1  FSn3  FSn4」の上から７行目には、DSX13のFSパターンである「６」(列２の上から３行目)、DSX14のFSパターンである「６」(列２の上から４行目)、DSX16のFSパターンである「５」(列２の上から６行目)、およびDSX17のFSパターンである「３」(列２の上から７行目)が、DSX17、DSX16、DSX14、DSX13の順番で、「３５６６」と示されている。
【０２９０】
同様に、列６「FSn0  FSn1  FSn3  FSn4」の上から８行目には、DSX14のFSパターンである「６」(列２の上から４行目)、DSX15のFSパターンである「３」(列２の上から５行目)、DSX17のFSパターンである「３」(列２の上から７行目)、およびDSX18のFSパターンである「２」(列２の上から８行目)が、DSX18、DSX17、DSX15、DSX14の順番で、「２３３６」と示されている。
【０２９１】
同様に、列６「FSn0  FSn1  FSn3  FSn4」の上から９行目には、DSX15のFSパターンである「３」(列２の上から５行目)、DSX16のFSパターンである「５」(列２の上から６行目)、DSX18のFSパターンである「２」(列２の上から８行目)、およびDSX19のFSパターンである「２」(列２の上から９行目)が、DSX19、DSX18、DSX16、DSX15の順番で、「２２５３」と示されている。
【０２９２】
同様に、列６「FSn0  FSn1  FSn3  FSn4」の上から１０行目には、DSX16のFSパターンである「５」(列２の上から６行目)、DSX17のFSパターンである「３」(列２の上から７行目)、DSX19のFSパターンである「２」(列２の上から９行目)、およびDSX20のFSパターンである「５」(列２の上から１０行目)が、DSX20、DSX19、DSX17、DSX16の順番で、「５２３５」と示されている。
【０２９３】
同様に、列６「FSn0  FSn1  FSn3  FSn4」の上から１１行目には、DSX17のFSパターンである「３」(列２の上から７行目)、DSX18のFSパターンである「２」(列２の上から８行目)、DSX20のFSパターンである「５」(列２の上から１０行目)、およびDSX21のFSパターンである「６」(列２の上から１１行目)が、DSX21、DSX20、DSX18、DSX17の順番で、「６５２３」と示されている。
【０２９４】
同様に、列６「FSn0  FSn1  FSn3  FSn4」の上から１２行目には、DSX18のFSパターンである「２」(列２の上から８行目)、DSX19のFSパターンである「２」(列２の上から９行目)、DSX21のFSパターンである「６」(列２の上から１１行目)、およびDSX22のFSパターンである「５」(列２の上から１２行目)が、DSX22、DSX21、DSX19、DSX18の順番で、「５６２２」と示されている。
【０２９５】
同様に、列６「FSn0  FSn1  FSn3  FSn4」の上から１３行目には、DSX19のFSパターンである「２」(列２の上から９行目)、DSX20のFSパターンである「５」(列２の上から１０行目)、DSX22のFSパターンである「５」(列２の上から１２行目)、およびDSX23のFSパターンである「１」(列２の上から１３行目)が、DSX23、DSX22、DSX20、DSX19の順番で、「１５５２」と示されている。
【０２９６】
同様に、列６「FSn0  FSn1  FSn3  FSn4」の上から１４行目には、DSX20のFSパターンである「５」(列２の上から１０行目)、DSX21のFSパターンである「６」(列２の上から１１行目)、DSX23のFSパターンである「１」(列２の上から１３行目)、およびDSX24のFSパターンである「１」(列２の上から１４行目)が、DSX24、DSX23、DSX21、DSX20の順番で、「１１６５」と示されている。
【０２９７】
同様に、列６「FSn0  FSn1  FSn3  FSn4」の上から１５行目には、DSX21のFSパターンである「６」(列２の上から１１行目)、DSX22のFSパターンである「５」(列２の上から１２行目)、DSX24のFSパターンである「１」(列２の上から１４行目)、およびDSX25のFSパターンである「６」(列２の上から１５行目)が、DSX25、DSX24、DSX22、DSX21の順番で、「６１５６」と示されている。
【０２９８】
同様に、列６「FSn0  FSn1  FSn3  FSn4」の上から１６行目には、DSX22のFSパターンである「５」(列２の上から１２行目)、DSX23のFSパターンである「１」(列２の上から１３行目)、DSX25のFSパターンである「６」(列２の上から１５行目)、およびDSX26のFSパターンである「２」(列２の上から１６行目)が、DSX26、DSX25、DSX23、DSX22の順番で、「２６１５」と示されている。
【０２９９】
同様に、列６「FSn0  FSn1  FSn3  FSn4」の上から１７行目には、DSX23のFSパターンである「１」(列２の上から１３行目)、DSX24のFSパターンである「１」(列２の上から１４行目)、DSX26のFSパターンである「２」(列２の上から１６行目)、およびDSX27のFSパターンである「６」(列２の上から１７行目)が、DSX27、DSX26、DSX24、DSX23の順番で、「６２１１」と示されている。
【０３００】
同様に、列６「FSn0  FSn1  FSn3  FSn4」の上から１８行目には、DSX24のFSパターンである「１」(列２の上から１４行目)、DSX25のFSパターンである「６」(列２の上から１５行目)、DSX27のFSパターンである「６」(列２の上から１７行目)、およびDSX28のFSパターンである「４」(列２の上から１８行目)が、DSX28、DSX27、DSX25、DSX24の順番で、「４６６１」と示されている。
【０３０１】
同様に、列６「FSn0  FSn1  FSn3  FSn4」の上から１９行目には、DSX25のFSパターンである「６」(列２の上から１５行目)、DSX26のFSパターンである「２」(列２の上から１６行目)、DSX28のFSパターンである「４」(列２の上から１８行目)、およびDSX29のFSパターンである「４」(列２の上から１９行目)が、DSX29、DSX28、DSX26、DSX25の順番で、「４４２６」と示されている。
【０３０２】
同様に、列６「FSn0  FSn1  FSn3  FSn4」の上から２０行目には、DSX26のFSパターンである「２」(列２の上から１６行目)、DSX27のFSパターンである「６」(列２の上から１７行目)、DSX29のFSパターンである「４」(列２の上から１９行目)、およびDSX30のFSパターンである「２」(列２の上から２０行目)が、DSX30、DSX29、DSX27、DSX26の順番で、「２４６２」と示されている。
【０３０３】
以上のように、図２１および図２２の列６「FSn0  FSn1  FSn3  FSn4」の上からｎ行目(ただし、図２１および図２２を通して行番号をふった場合)には、列２の上からｎ-4行目のFSパターン、列２の上からｎ-3行目のFSパターン、列２の上からｎ-2行目のFSパターン、および列２の上からｎ行目のFSパターンが、「列２の上からｎ行目のFSパターン、列２の上からｎ-1行目のFSパターン、列２の上からｎ-3行目のFSパターン、列２の上からｎ-4行目のFSパターン」の順番で示されている。なお、nは３０までである。
【０３０４】
次に、データセクタ１乃至１５のフレーム番号候補を抽出するための参照情報が示されている図２３および図２４について説明する。図２１および図２２の列３と同様、図２３および図２４の表の列３「FSn0  FSn1」には、列２に示されているFSパターンが、２つ並んだ場合の数字が示されている。すなわち、列３「FSn0  FSn1」の上から１行目には、直前のデータセクタのDSX30のFSパターンである「２」(図２２、または図２４の列２の上から２０行目)、およびDSX0のFSパターンである「０」(図２３の列２の上から１行目)が、DSX0、DSX30の順番で、「０２」と示されている。
【０３０５】
同様に、列３「FSn0  FSn1」の上から２行目には、DSX0のFSパターンである「０」(列２の上から１行目)、およびDSX1のFSパターンである「１」(列２の上から２行目)が、DSX1、DSX0の順番で、「１０」と示されている。
【０３０６】
同様に、列３「FSn0  FSn1」の上から３行目には、DSX1のFSパターンである「１」(列２の上から２行目)、およびDSX2のFSパターンである「２」(列２の上から３行目)が、DSX2、DSX1の順番で、「２１」と示されている。
【０３０７】
図２３および図２４においては、以下も同様に、列３「FSn0  FSn1」の上からｎ行目(ただし、図２３および図２４を通して行番号をふった場合)には、列２の上からｎ-1行目のFSパターン、および列２の上からｎ行目のFSパターンが、「列２の上からｎ行目のFSパターン、列２の上からｎ-1行目のFSパターン」の順番で示されている。なお、nは３０までである。
【０３０８】
次に、図２１および図２２の列４と同様、図２３および図２４の表の列４「FSn0  FSn1  FSn2」には、列２に示されているFSパターンが、３つ並んだ場合の数字が示されている。すなわち、列４「FSn0  FSn1  FSn2」の上から１行目には、直前のデータセクタのDSX29のFSパターンである「４」(図２２、または図２４の列２の上から１９行目)、DSX30のFSパターンである「２」(図２２、または図２４の列２の上から２０行目)、およびDSX0のFSパターンである「０」(図２３の列２の上から１行目)が、DSX0、DSX30、DSX29の順番で、「０２４」と示されている。
【０３０９】
同様に、列４「FSn0  FSn1  FSn2」の上から２行目には、DSX30のFSパターンである「２」(図２２、または図２４の列２の上から２０行目)、DSX0のFSパターンである「０」(図２３の列２の上から１行目)、およびDSX1のFSパターンである「１」(図２３の列２の上から２行目)が、DSX1、DSX0、DSX30の順番で、「１０２」と示されている。
【０３１０】
同様に、列４「FSn0  FSn1  FSn2」の上から３行目には、DSX0のFSパターンである「０」(列２の上から１行目)、DSX1のFSパターンである「１」(列２の上から２行目)、およびDSX2のFSパターンである「２」(列２の上から３行目)が、DSX2、DSX1、DSX0の順番で、「２１０」と示されている。
【０３１１】
図２３および図２４においては、以下も同様に、列３−２「FSn0  FSn1  FSn2」の上からｎ行目(ただし、図２３および図２４を通して行番号をふった場合)には、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン」の順番で示されている。なお、nは３０までである。
【０３１２】
次に、図２１および図２２の列５と同様、図２３および図２４の表の列５「FSn0  FSn1  FSn2  FSn3」には、列２に示されているFSパターンが、４つ並んだ場合の数字が示されている。すなわち、列５「FSn0  FSn1  FSn2  FSn3」の上から１行目には、DSX28のFSパターンである「４」(図２２、または図２４の列２の上から１８行目)、DSX29のFSパターンである「４」(図２２、または図２４の列２の上から１９行目)、DSX30のFSパターンである「２」(図２２、または図２４の列２の上から２０行目)、およびDSX0のFSパターンである「０」(図２３の列２の上から１行目)が、DSX0、DSX30、DSX29、DSX28の順番で、「０２４４」と示されている。
【０３１３】
同様に、列５「FSn0  FSn1  FSn2  FSn3」の上から２行目には、DSX29のFSパターンである「４」(図２２、または図２４の列２の上から１９行目)、DSX30のFSパターンである「２」(図２２、または図２４の列２の上から２０行目)、DSX0のFSパターンである「０」(図２３の列２の上から１行目)、およびDSX1のFSパターンである「１」(図２３の列２の上から２行目)が、DSX1、DSX0、DSX30、DSX29の順番で、「１０２４」と示されている。
【０３１４】
同様に、列５「FSn0  FSn1  FSn2  FSn3」の上から３行目には、DSX30のFSパターンである「２」(図２２、または図２４の列２の上から２０行目)、DSX0のFSパターンである「０」(図２３の列２の上から１行目)、DSX1のFSパターンである「１」(図２３の列２の上から２行目)、およびDSX2のFSパターンである「２」(図２３の列２の上から３行目)が、DSX2、DSX1、DSX0、DSX30の順番で、「２１０２」と示されている。
【０３１５】
図２３および図２４においては、以下も同様に、列５「FSn0  FSn1  FSn2  FSn3」の上からｎ行目(ただし、図２３および図２４を通して行番号をふった場合)には、列２の上からｎ-3行目のFSパターン、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン、列２の上からｎ-3行目のFSパターン」の順番で示されている。なお、nは３０までである。
【０３１６】
次に、図２１および図２２の列６と同様、図２３および図２４の表の列６「FSn0  FSn1  FSn3  FSn4」には、列２に示されているFSパターンが、４つ並んだ場合の数字が示されている。すなわち、列６「FSn0  FSn1  FSn3  FSn4」の上から１行目には、DSX27のFSパターンである「６」(図２２、または図２４の列２の上から１７行目)、DSX28のFSパターンである「４」(図２２、または図２４の列２の上から１８行目)、DSX30のFSパターンである「２」(図２２、または図２４の列２の上から２０行目)、およびDSX0のFSパターンである「０」(図２３の列２の上から１１行目)が、DSX0、DSX30、DSX28、DSX27の順番で、「０２４６」と示されている。
【０３１７】
同様に、列６「FSn0  FSn1  FSn3  FSn4」の上から２行目には、DSX28のFSパターンである「４」(図２２、または図２４の列２の上から１８行目)、DSX29のFSパターンである「４」(図２２、または図２４の列２の上から１９行目)、DSX0のFSパターンである「０」(図２３の列２の上から１行目)、およびDSX1のFSパターンである「１」(図２３の列２の上から２行目)が、DSX1、DSX0、DSX29、DSX28の順番で、「１０４４」と示されている。
【０３１８】
同様に、列６「FSn0  FSn1  FSn3  FSn4」の上から３行目には、DSX29のFSパターンである「４」(図２２、または図２４の列２の上から１９行目)、DSX30のFSパターンである「２」(図２２、または図２４の列２の上から２０行目)、DSX1のFSパターンである「１」(図２３の列２の上から１行目)、およびDSX2のFSパターンである「２」(図２３の列２の上から３行目)が、DSX2、DSX1、DSX30、DSX29の順番で、「２１２４」と示されている。
【０３１９】
図２３および図２４においては、以下も同様に、列６「FSn0  FSn1  FSn3  FSn4」の上からｎ行目(ただし、図２３および図２４を通して行番号をふった場合)には、列２の上からｎ-4行目のFSパターン、列２の上からｎ-3行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-3行目のFSパターン、列２の上からｎ-4行目のFSパターン」の順番で示されている。なお、nは３０までである。
【０３２０】
プリアンブルフレーム番号候補抽出部５５、およびデータフレーム番号候補抽出部５６は、上述した図２１乃至図２４の表を参照して、入力されたFSn0、FSn1、FSn2、FSn3、およびFSn4のFSパターンから、プリアンブルフレーム、およびデータフレームの候補を、それぞれ検索する。
【０３２１】
すなわち、プリアンブルフレーム番号候補抽出部５５は、図１１のフローチャートに示される処理を実行して、入力されたFSn0とFSn1のFSパターンの並び順と同一の並び順が、図２１の列３のプリアンブル部に相当する行(PrA0乃至PrA9)に存在するか否かを検索する。その結果、プリアンブル部のフレーム番号の候補が検出された場合、プリアンブルフレーム番号候補抽出部５５は、ロックモード生成部５７に対して、pasq2として検出されたプリアンブル部フレーム番号候補を出力する。プリアンブル部のフレーム番号の候補が検出されなかった場合、プリアンブルフレーム番号候補抽出部５５は、ロックモード生成部５７に対して、pasq2として、「７」を出力する。
【０３２２】
また、プリアンブルフレーム番号候補抽出部５５は、図１２のフローチャートに示される処理を実行して、入力されたFSn0、FSn1、およびFSn2のFSパターンの並び順と同一の並び順が、図２１の列４のプリアンブル部に相当する行(PrA0乃至PrA9)に存在するか否かを検索する。その結果、プリアンブル部のフレーム番号の候補が検出された場合、プリアンブルフレーム番号候補抽出部５５は、ロックモード生成部５７に対して、pasq3として、検出されたフレーム番号候補を出力する。プリアンブル部のフレーム番号の候補が検出されなかった場合、プリアンブルフレーム番号候補抽出部５５は、ロックモード生成部５７に対してpasq3として、「７」を出力する。
【０３２３】
また、プリアンブルフレーム番号候補抽出部５５は、図１３のフローチャートに示される処理を実行して、入力されたFSn0、FSn1、FSn2、およびFSn3のFSパターンの並び順と同一の並び順が、図２１の列５のプリアンブル部に相当する行(PrA0乃至PrA9)に存在するか否かを検索する。その結果、プリアンブル部のフレーム番号の候補が検出された場合、プリアンブルフレーム番号候補抽出部５５は、ロックモード生成部５７に対して、pasq4として、検出されたフレーム番号候補を出力する。プリアンブル部のフレーム番号の候補が検出されなかった場合、プリアンブルフレーム番号候補抽出部５５は、ロックモード生成部５７に対してpasq4として、「７」を出力する。
【０３２４】
また、プリアンブルフレーム番号候補抽出部５５は、図１４のフローチャートに示される処理を実行して、入力されたFSn0、FSn1、FSn3、およびFSn4のFSパターンの並び順と同一の並び順が、図２１の列６のプリアンブル部に相当する行(PrA0乃至PrA9)に存在するか否かを検索する。その結果、プリアンブル部のフレーム番号の候補が検出された場合、プリアンブルフレーム番号候補抽出部５５は、ロックモード生成部５７に対して、pasq54として、検出されたフレーム番号候補を出力する。プリアンブル部のフレーム番号の候補が検出されなかった場合、プリアンブルフレーム番号候補抽出部５５は、ロックモード生成部５７に対してpasq54として、「７」を出力する。
【０３２５】
また、データフレーム番号候補抽出部５６は、図１５のフローチャートに示される処理を実行して、入力されたFSn0とFSn1のFSパターンの並び順と同一の並び順が、図２１乃至図２４の列３のデータ部に相当する行(DSX0乃至DSX30)に存在するか否かを検索する。その結果、データ部のフレーム番号の候補が検出された場合、データフレーム番号候補抽出部５６は、ロックモード生成部５７、およびフレーム番号決定部５８に対して、frsq2として、検出されたフレーム番号の候補を出力する。データ部のフレーム番号の候補が検出されなかった場合、データフレーム番号候補抽出部５６は、ロックモード生成部５７、およびフレーム番号決定部５８に対して、frsq2として「３１」を出力する。
【０３２６】
また、データフレーム番号候補抽出部５６は、図１６のフローチャートに示される処理を実行して、入力されたFSn0、FSn1、およびFSn2のFSパターンの並び順と同一の並び順が、図２１乃至図２４の列４のデータ部に相当する行(DSX0乃至DSX30)に存在するか否かを検索する。その結果、データ部のフレーム番号の候補が検出された場合、データフレーム番号候補抽出部５６は、ロックモード生成部５７、およびフレーム番号決定部５８に対して、frsq3として、検出されたフレーム番号の候補を出力する。データ部のフレーム番号の候補frsq3が検出されなかった場合、データフレーム番号候補抽出部５６は、ロックモード生成部５７、およびフレーム番号決定部５８に対して、frsq3として「３１」を出力する。
【０３２７】
また、データフレーム番号候補抽出部５６は、図１７のフローチャートに示される処理を実行して、入力されたFSn0、FSn1、FSn2、およびFSn3のFSパターンの並び順と同一の並び順が、図２１乃至図２４の列５のデータ部に相当する行(DSX0乃至DSX30)に存在するか否かを検索する。その結果、データ部のフレーム番号の候補が検出された場合、データフレーム番号候補抽出部５６は、ロックモード生成部５７、およびフレーム番号決定部５８に対して、frsq4として、検出されたフレーム番号の候補を出力する。データ部のフレーム番号の候補frsq4が検出されなかった場合、データフレーム番号候補抽出部５６は、ロックモード生成部５７、およびフレーム番号決定部５８に対して、frsq4として「３１」を出力する。
【０３２８】
また、データフレーム番号候補抽出部５６は、図１８のフローチャートに示される処理を実行して、入力されたFSn0、FSn1、FSn3、およびFSn4のFSパターンの並び順と同一の並び順が、図２１乃至図２４の列６のデータ部に相当する行(DSX0乃至DSX30)に存在するか否かを検索する。その結果、データ部のフレーム番号の候補が検出された場合、データフレーム番号候補抽出部５６は、ロックモード生成部５７、およびフレーム番号決定部５８に対して、frsq54として、検出されたフレーム番号の候補を出力する。データ部のフレーム番号の候補が検出されなかった場合、データフレーム番号候補抽出部５６は、ロックモード生成部５７、およびフレーム番号決定部５８に対して、frsq54として「３１」を出力する。
【０３２９】
ロックモード生成部５７は、クラスタの先頭でロックモード＝０に設定される(図１９のステップＳ６０２)。その後、ロックモード＝０の場合(図１９のステップＳ６０３)、"データフレーム番号候補抽出部５６からの更新入力のうちfrsq2が「３１」でない"(図１９のステップＳ６０４)か、"プリアンブルフレーム番号候補抽出部５５からの更新入力のうちpasq2が「７」でない"(図１９のステップＳ６０６)のうち少なくとも一方が真であった場合(すなわち候補があった場合)、ロックモードをカウントアップし、ロックモード＝１に設定し、フレーム番号決定部５８に出力する(図１９のステップＳ６０５)。なお、図１９のステップＳ６０４で"データフレーム番号候補抽出部５６からの入力のうちfrsq2が「３１」かつ、ステップＳ６０６で""プリアンブルフレーム番号候補抽出部５５からの入力のうちpasq2が「７」"であった場合、ロックモード生成部５７は、ロックモード＝０を保持し(図１９のステップＳ６０２)、上述した処理を繰り返す。
【０３３０】
またロックモード＝１の場合(図１９のステップＳ６０７)、ロックモード生成部５７は、"データフレーム番号候補抽出部５６からの更新入力のうちfrsq3が「３１」でない"(図１９のステップＳ６０８)か、"プリアンブルフレーム番号候補抽出部５５からの更新入力のうちpasq3が「７」でない" (図１９のステップＳ６１０)のうち少なくとも一方が真であった (すなわち候補があった場合)、ロックモードをカウントアップし、ロックモード＝２に設定し、フレーム番号決定部５８に出力する(図１９のステップＳ６０９)。
【０３３１】
なお、"データフレーム番号候補抽出部５６からの入力のうちfrsq3が「３１」"(図１９のステップＳ６０８)かつ、"プリアンブルフレーム番号候補抽出部５５からの入力のうちpasq3が「７」"(図１９のステップＳ６１０)であった場合、ロックモード生成部５７は、ロックモード＝０に設定し(図１９のステップＳ６０２)、上述した処理を繰り返す。
【０３３２】
またロックモード＝２の場合(図１９のステップＳ６１１)、"データフレーム番号候補抽出部５６からの更新入力のうちfrsq4が「３１」でない"(図１９のステップＳ６１２)か、"プリアンブルフレーム番号候補抽出部５５からの更新入力のうちpasq4が「７」でない"(図１９のステップＳ６１４)のうち少なくとも一方が真であった (すなわち候補があった場合)、ロックモードをカウントアップし、ロックモード＝３に設定し、フレーム番号決定部５８に出力する(図１９のステップＳ６１３)。
【０３３３】
なお、"データフレーム番号候補抽出部５６からの入力のうちfrsq4が「３１」"(図１９のステップＳ６１２)かつ、"プリアンブルフレーム番号候補抽出部５５からの入力のうちpasq4が「７」"(図１９のステップＳ６１４)であった場合、ロックモード生成部５７は、ロックモード＝０に設定し(図１９のステップＳ６０２)、上述した処理を繰り返す。
【０３３４】
またロックモード＝３の場合(図１９のステップＳ６１５)、ロックモード生成部５７は、"データフレーム番号候補抽出部５６からの更新入力のうちfrsq54が「３１」でない"(図１９のステップＳ６１６)か、"プリアンブルフレーム番号候補抽出部５５からの更新入力のうちpasq54が「７」でない"(図１９のステップＳ６１７)のうち少なくとも一方が真であった場合(すなわち候補があった場合)、ロックモードは３のまま保持して、フレーム番号決定部５８に出力する(図１９のステップＳ６１３)。
【０３３５】
なお、"データフレーム番号候補抽出部５６からの入力のうちfrsq54が「３１」"(図１９のステップＳ６１６)かつ、"プリアンブルフレーム番号候補抽出部５５からの入力のうちpasq54が「７」"(図１９のステップＳ６１７)であった場合、ロックモード生成部５７は、ロックモード＝０に設定し(図１９のステップＳ６０２)、上述した処理を繰り返す。
【０３３６】
フレーム番号決定部５８は、前述した方法によりデータフレーム番号候補抽出部５６およびロックモード生成部５７より入力されたデータに基づいて、そのフレーム番号を決定しその値を、frm_noとして出力する。前述した方法からアンブル部でのfrm_noの値は「３１」に設定される。
【０３３７】
以上のようにして、再生されているデータが、アンブル部なのか、データ部なのか、また、データ部であった場合、フレーム番号は何番なのかが、決定される。
【０３３８】
ところで、光ディスク装置１は、図３乃至図６を参照して説明したフォーマットと類似するフォーマットであるMD-Data2において実施されているフレーム同期の回路の、異なる部分のパラメータを切り替える程度で、フレーム同期の回路部分をMD-Data2と共用することができるので、MD-Data2によりデータを記録した光磁気ディスクからデータを再生することも可能である。
【０３３９】
図２５乃至図２７は、図３乃至図６に示したフォーマットと、類似するフォーマットの一例を示している。以下、図２５乃至図２７に示される類似フォーマットについて説明する。
【０３４０】
図２５は、類似フォーマットの一例を示している。図２５においては、最小書き換え単位である１クラスタ分のデータが示されている。図２５の左側欄外に示されているように、クラスタは、先頭部に付加されているプリアンブル部、データセクタ０乃至１５(以下、この部分をデータ部とも称する)、および末尾に付加されているポストアンブル部により構成されている。
【０３４１】
図２５において、上から下までの各行は、分割されたデータの最小単位であるフレームに対応する。すなわち、図２５の左側欄外、１番上方に示されているプリアンブル部は、上から１フレーム目乃至１０フレーム目のフレームにより構成されている。
【０３４２】
また、図２５の左側欄外、プリアンブル部の下に示されているデータセクタ０乃至１５の１６個のデータセクタは、それぞれ２６個のフレームにより構成されている。
【０３４３】
さらに、図２５の左側欄外、データ部の下に示されているポストアンブル部は、下から６フレーム目乃至１フレーム目の６個のフレームにより構成されている。
【０３４４】
図２５の１番左側の列の上から１行目乃至１０行目に示されている、PrA0乃至PrA9は、説明の便宜上、プリアンブル部を構成する１０個のフレームに、記録順に番号を振ったもの(フレーム番号)であり、実際に、光磁気ディスクに記録されているわけではない。
【０３４５】
同様に、図２５の１番左側の列の上から１１行目乃至２８行目に示されている、DS0_0乃至DS2_25、および下から１４行目乃至７行目に示されている、DS14_24乃至DS15_25は、説明の便宜上、各データセクタの２６個のフレームに、記録順に番号を振ったもの(フレーム番号)であり、実際に、光磁気ディスクに記録されているわけではない。
【０３４６】
すなわち、「DSｘ_ｙ」の「ｘ」は、データセクタ単位で上からデータセクタを数えた場合の順番を示しており、「ｙ」は、データセクタ内において上からフレームを数えた場合の順番を示している。
【０３４７】
同様に、図２５の１番左側の列の下から６行目乃至１行目に示されている、PoA0乃至PoA5は、説明の便宜上、ポストアンブル部を構成する６個のフレームに、記録順に番号を振ったもの(フレーム番号)であり、実際に、光磁気ディスクに記録されているわけではない。
【０３４８】
光磁気ディスクに記録されている部分は、図２５の右側の２列である。すなわち、図２５右側から２列目には、フレームシンクが示されている。また、図２５右側から１列目には、アンブルデータ、またはユーザデータが示されている。図２５の下方に示されているように、フレームシンクは、24チャネルビットにより構成されている。また、アンブルデータ、およびユーザデータは、1110チャネルビットにより構成されている。
【０３４９】
図２５の上から１行目乃至１０行目に示されているように、プリアンブル部は、プリアンブルデータ領域０乃至９、およびプリアンブルデータ領域０乃至９に対応するプリアンブルFS領域０乃至９により構成されている。
【０３５０】
図２５の下から６行目乃至１行目に示されているように、ポストアンブル部は、ポストアンブルデータ領域０乃至５、およびポストアンブルデータ領域０乃至５に対応するポストアンブルFS領域０乃至５により構成されている。
【０３５１】
図２５の１１行目乃至１６行目に示されているデータセクタ０の部分を抜き出して、図２６に示す。図２６においてデータセクタ０は、DS0_0乃至DS0_25の２６のフレームにより構成され、各フレームは、ユーザデータ領域0_0乃至0_25のそれぞれに対して、データセクタFS領域0_0乃至0_25が付加された構成になっている。また、図２６の下方に示されるように、各フレーム内のデータセクタFS領域は、24チャネルビットで形成され、ユーザデータ領域は、1110チャネルビットで形成されている。データセクタ０は、以上のようにして構成されている。
【０３５２】
図２５に戻って、データセクタ１乃至１５の内部構成は、データセクタ０と同様になっている。
【０３５３】
ここで、図２５に示されているフォーマットのフレームシンクのパターン(以下、FSパターンと称する)について図２７を参照しつつ説明する。図２５乃至図２７に示されている類似フォーマットのFSパターンは、FS0乃至FS6の計７個のパターンにより構成される。
【０３５４】
ただし、類似フォーマットにおけるFSパターンの内容は、本発明を適用したフォーマットと異なっていても良い。すなわち、本例における類似フォーマットにおいては、フレームシンクは、24チャネルビットで構成されており、本発明を適用したフォーマットにおけるフレームシンクの30チャネルビットとは異なる。
【０３５５】
図２７Ａには、プリアンブル部のFSパターンが示されている。図２７Ａにおいて、左側の列のフレーム、PrA0乃至PrA9は、図２５のプリアンブル部のPrA0乃至PrA9に対応している。また、図２７Ａの右側の列に示されているFSパターンが、図２５のプリアンブルFS領域0乃至9に記録されている。
【０３５６】
図２７Ａに示されるように、プリアンブル部では、フレームPrA0にFS6が記録され、フレームPrA1にFS6が記録され、フレームPrA2にFS6が記録され、フレームPrA3にFS6が記録され、フレームPrA4にFS2が記録され、フレームPrA5にFS5が記録され、フレームPrA6にFS6が記録され、フレームPrA7にFS5が記録され、フレームPrA8にFS1が記録され、フレームPrA9にFS6が記録されている。
【０３５７】
図２７Ａに示されるフレームシンクの並び順は、以下に示す規則に従って配置されている。
【０３５８】
すなわち、プリアンブル部内のフレームPrA0乃至PrA9のｎ番目のフレームをPrA(n)とおいた場合、PrA(n-1)のFSパターンとPrA(n)のFSパターンの並び順が、n=０乃至９に対して２ヶ所以上は出現しないように、フレームシンクが配置される。
【０３５９】
図２７Ｂには、ポストアンブル部のFSパターンが示されている。図２７Ｂにおいて、左側の列のフレームPoA0乃至PoA5は、図２５のポストアンブル部のPoA0乃至PoA5に対応している。また、図２７Ｂの右側の列に示されているFSパターンが、図２５の、ポストアンブルFS領域0乃至5に記録されている。
【０３６０】
図２７Ｂに示されるように、ポストアンブル部では、フレームPoA0乃至PoA5のそれぞれに、FS6が記録されている。
【０３６１】
図２７Ｃには、図２５のデータセクタ０乃至１５のそれぞれのデータセクタ内における２６個のフレームDSX0乃至DSX25に記録されているフレームシンクのFSパターンが示されている。図２７Ｃにおいて、左側の列のフレームDSX0乃至DSX25は、図２５のデータセクタ０乃至１５のそれぞれのデータセクタ内の２６個のフレーム(例えば、データセクタ０におけるDS0_0乃至DS0_25)に対応する。また、図２７Ｃの右側の列に示されているFSパターンが、図２５のデータセクタ０乃至１５のそれぞれのデータセクタ内における２６個のデータセクタFS領域(例えば、データセクタ0におけるデータセクタFS領域0_0乃至0_25)に記録されている。
【０３６２】
すなわち、図２７Ｃに示されるように、フレームDSX0にはFS0が記録され、フレームDSX1にはFS1が記録され、フレームDSX2にはFS2が記録されるという具合にDSX25まで記録されている。
【０３６３】
なお、図２７Ｃにおいては、FSパターンFS0乃至FS6が、以下に説明するような規則に従って並んでいるものとする。なお、以下に説明する規則は、図２７ＣのデータセクタのフレームDSX0乃至DSX25の全てに適用されている。
【０３６４】
すなわち、図２７Ｃのデータセクタ内のフレームDSX0乃至DSX25のｎ番目のフレームをDSX(n)とおいた場合、フレームシンクは、
１．DSX(n-1)のFSパターンとDSX(n)のFSパターンの並び順は、n=０乃至２５に対して２ヶ所以上は出現しない。
２．DSX(n-2)のFSパターンとDSX(n)のFSパターンの並び順は、n=０乃至２５に対して２ヶ所以上は出現しない。
の２項目を満たすように配置されている。
【０３６５】
また、プリアンブル部とデータセクタ部をまたぐ場合においては、DSX(ｎ)と該当するPrA(m),PrA(m-1)、それぞれに対し、上述した同様の規則を満たすように、フレームシンクが配置される。
【０３６６】
また、フレームシンクは、FSパターンFS0がDSX0以外では利用されないように配置されている。
【０３６７】
以上のような規則に従って、データセクタ内の各フレームのデータセクタFS領域に、フレームシンクが記録されている。
【０３６８】
上述した類似フォーマットにおいては、アンブル部において利用されているFS6を、データセクタにおいても使用している(例えば、DSX25)ため、光ディスク装置１が、光磁気ディスクを再生する際に、アンブル部とデータ部を、識別することは、図３乃至図６に示したフォーマットほど容易ではない。
【０３６９】
上述した類似フォーマットにおいては、プリアンブル部およびポストアンブル部を構成するフレーム数、および、データ部のデータセクタ数が、本発明を適用したフォーマット(図３乃至図６)と同様である。このため、光ディスク装置１は、1-7ｐｐ復調部２６で実行する処理のプログラムを、類似フォーマット用に、若干、変更するだけで、このような類似フォーマットで光磁気ディスクに記録されたデータを再生することが可能となる。
【０３７０】
なお、光ディスク装置１は、この類似フォーマットにより記録されたデータを、再生する場合、図２８乃至図３１の表を参照して、フレーム番号を検出する。図２９は図２８の表に続く表であり、図２１は図３０の表に続く表である。
【０３７１】
図２８乃至図３１に示される表において、左側の列「FrameNo」を、列１と称し、そのすぐ右隣の列「FS(n)」を列２と称する。また、「クラスタの先頭」(図３０および図３１においては「クラスタの中間」)の記載により分類された列の内、１番左側の列「FSn0  FSn1」を列３と称し、その右隣の列「FSn0  FSn1  FSn2」を列４と称し、その右隣の列「FSn0  FSn1  FSn2  FSn3」を列５と称し、その右隣の列「FSn0  FSn1  FSn3  FSn4」を列６と称する。
【０３７２】
また、以下の説明においては、列１の「FrameNo」が記載されている行の１つ下の行(例えば、図２８の列１における「PrA0」が記載されている行)を１行目として、行数を示すこととする。
【０３７３】
図２８および図２９の表には、プリアンブル部およびデータセクタ０のフレーム番号候補を抽出するための参照情報が示されている。また、図３０および３１には、データセクタ１乃至１５のフレーム番号候補を抽出するための参照情報が示されている。
【０３７４】
FSパターンの並び順は、図２７に示されるようになっており、図２８乃至図３１の表の列１には、図２７に対応するフレームが示されている。すなわち、図２８の表の列１「FrameNo」の上から１行目乃至１０行目に示されているPrA0乃至PrA9は、図２７Ａの左側の列に示されているPrA0乃至PrA9と対応するものである。また、図２８の表の列１「FrameNo」の上から１１行目乃至２１行目に示されているDSX0乃至DSX10および図３０の表の列１「FrameNo」の上から１行目乃至１１行目に示されているDSX0乃至DSX10は、図２７Ｃの左側の列に示されているDSX0乃至DSX10と対応するものである。さらに、図２９および図３１の表の列１「FrameNo」の上から１行目乃至１５行目に示されているDSX11乃至DSX25は、図２７Ｃの左側の列に示されているDSX11乃至DSX25と対応するものである。
【０３７５】
また、図２８の表の列２「FS(n)」の上から１行目乃至１０行目に示されている数字は、図２７Ａの右側の列に示されているFSパターンから番号のみを抜き出して示したものである。すなわち、図２８の表の列２「FS(n)」の上から１行目乃至１０行目の6,6,6,6,2,5,6,5,1,6は、それぞれ、図２７Ａ右側の列のFS6, FS6, FS6, FS6, FS2, FS5, FS6, FS5, FS1, FS6を意味している。
【０３７６】
図２８および図２９の表の列３「FSn0  FSn1」には、列２に示されているFSパターンが、２つ並んだ場合の数字が示されている。すなわち、図２８の列３「FSn0  FSn1」の上から２行目には、PrA0のFSパターンである「６」(列２の上から1行目)、およびPrA1のFSパターンである「６」(列２の上から２行目)が、PrA1、PrA0の順番で、「６６」と示されている。
【０３７７】
同様に、列３「FSn0  FSn1」の上から３行目には、PrA1のFSパターンである「６」(列２の上から２行目)、およびPrA2のFSパターンである「６」(列２の上から３行目)が、PrA2、PrA1の順番で、「６６」と示されている。
【０３７８】
同様に、列３「FSn0  FSn1」の上から４行目には、PrA2のFSパターンである「６」(列２の上から３行目)、およびPrA3のFSパターンである「６」(列２の上から４行目)が、PrA3、PrA2の順番で、「６６」と示されている。
【０３７９】
同様に、列３「FSn0  FSn1」の上から５行目には、PrA3のFSパターンである「６」(列２の上から４行目)、およびPrA4のFSパターンである「２」(列２の上から５行目)が、PrA4、PrA3の順番で、「２６」と示されている。
【０３８０】
同様に、列３「FSn0  FSn1」の上から６行目には、PrA4のFSパターンである「２」(列２の上から５行目)、およびPrA5のFSパターンである「５」(列２の上から６行目)が、PrA5、PrA4の順番で、「５２」と示されている。
【０３８１】
同様に、列３「FSn0  FSn1」の上から７行目には、PrA5のFSパターンである「５」(列２の上から６行目)、およびPrA6のFSパターンである「６」(列２の上から７行目)が、PrA6、PrA5の順番で、「６５」と示されている。
【０３８２】
同様に、列３「FSn0  FSn1」の上から８行目には、PrA6のFSパターンである「６」(列２の上から７行目)、およびPrA7のFSパターンである「５」(列２の上から８行目)が、PrA7、PrA6の順番で、「５６」と示されている。
【０３８３】
同様に、列３「FSn0  FSn1」の上から９行目には、PrA7のFSパターンである「５」(列２の上から８行目)、およびPrA8のFSパターンである「１」(列２の上から９行目)が、PrA8、PrA7の順番で、「１５」と示されている。
【０３８４】
同様に、列３「FSn0  FSn1」の上から１０行目には、PrA8のFSパターンである「１」(列２の上から９行目)、およびPrA9のFSパターンである「６」(列２の上から１０行目)が、PrA9、PrA8の順番で、「６１」と示されている。
【０３８５】
同様に、列３「FSn0  FSn1」の上から１１行目には、PrA9のFSパターンである「６」(列２の上から１０行目)、およびDSX0のFSパターンである「０」(列２の上から１１行目)が、DSX0、PrA9の順番で、「０６」と示されている。
【０３８６】
同様に、列３「FSn0  FSn1」の上から１２行目には、DSX0のFSパターンである「０」(列２の上から１１行目)、およびDSX1のFSパターンである「１」(列２の上から１２行目)が、DSX1、DSX0の順番で、「１０」と示されている。
【０３８７】
同様に、列３「FSn0  FSn1」の上から１３行目には、DSX1のFSパターンである「１」(列２の上から１２行目)、およびDSX2のFSパターンである「２」(列２の上から１３行目)が、DSX2、DSX1の順番で、「２１」と示されている。
【０３８８】
図２８および図２９においては、以下も同様に、列３「FSn0  FSn1」の上からｎ行目（ただし、図２８および図２９を通して行番号をふった場合）には、列２の上からｎ-1行目のFSパターン、および列２の上からｎ行目のFSパターンが、「列２の上からｎ行目のFSパターン、列２の上からｎ-1行目のFSパターン」の順番で示されている。なお、nは２５までである。
【０３８９】
図２８および図２９の表の列４「FSn0  FSn1  FSn2」には、列２に示されているFSパターンが、３つ並んだ場合の数字が示されている。すなわち、図２８の列４「FSn0  FSn1  FSn2」の上から３行目には、PrA0のFSパターンである「６」(列２の上から1行目)、PrA1のFSパターンである「６」(列２の上から２行目)、およびPrA2のFSパターンである「６」(列２の上から３行目)が、PrA2、PrA1、PrA0の順番で、「６６６」と示されている。
【０３９０】
同様に、列４「FSn0  FSn1  FSn2」の上から４行目には、PrA1のFSパターンである「６」(列２の上から２行目)、PrA2のFSパターンである「６」(列２の上から３行目)、およびPrA3のFSパターンである「６」(列２の上から４行目)が、PrA3、PrA2、PrA1の順番で、「６６６」と示されている。
【０３９１】
同様に、列４「FSn0  FSn1  FSn2」の上から５行目には、PrA2のFSパターンである「６」(列２の上から３行目)、PrA3のFSパターンである「６」(列２の上から４行目)、およびPrA4のFSパターンである「２」(列２の上から５行目)が、PrA4、PrA3、PrA2の順番で、「２６６」と示されている。
【０３９２】
同様に、列４「FSn0  FSn1  FSn2」の上から６行目には、PrA3のFSパターンである「６」(列２の上から４行目)、PrA4のFSパターンである「２」(列２の上から５行目)、およびPrA5のFSパターンである「５」(列２の上から６行目)が、PrA5、PrA4、PrA3の順番で、「５２６」と示されている。
【０３９３】
同様に、列４「FSn0  FSn1  FSn2」の上から７行目には、PrA4のFSパターンである「２」(列２の上から５行目)、PrA5のFSパターンである「５」(列２の上から６行目)、およびPrA6のFSパターンである「６」(列２の上から７行目)が、PrA6、PrA5、PrA4の順番で、「６５２」と示されている。
【０３９４】
同様に、列４「FSn0  FSn1  FSn2」の上から８行目には、PrA5のFSパターンである「５」(列２の上から６行目)、PrA6のFSパターンである「６」(列２の上から７行目)、およびPrA7のFSパターンである「５」(列２の上から８行目)が、PrA7、PrA6、PrA5の順番で、「５６５」と示されている。
【０３９５】
同様に、列４「FSn0  FSn1  FSn2」の上から９行目には、PrA6のFSパターンである「６」(列２の上から７行目)、PrA7のFSパターンである「５」(列２の上から８行目)、およびPrA8のFSパターンである「１」(列２の上から９行目)が、PrA8、PrA7、PrA6の順番で、「１５６」と示されている。
【０３９６】
同様に、列４「FSn0  FSn1  FSn2」の上から１０行目には、PrA7のFSパターンである「５」(列２の上から８行目)、PrA8のFSパターンである「１」(列２の上から９行目)、およびPrA9のFSパターンである「６」(列２の上から１０行目)が、PrA9、PrA8、PrA7の順番で、「６１５」と示されている。
【０３９７】
同様に、列４「FSn0  FSn1  FSn2」の上から１１行目には、PrA8のFSパターンである「１」(列２の上から９行目)、PrA9のFSパターンである「６」(列２の上から１０行目)、およびDSX0のFSパターンである「０」(列２の上から１１行目)が、DSX0、PrA9、PrA8の順番で、「０６１」と示されている。
【０３９８】
同様に、列４「FSn0  FSn1  FSn2」の上から１２行目には、PrA9のFSパターンである「６」(列２の上から１０行目)、DSX0のFSパターンである「０」(列２の上から１１行目)、およびDSX1のFSパターンである「１」(列２の上から１２行目)が、DSX1、DSX0、PrA9の順番で、「１０６」と示されている。
【０３９９】
同様に、列４「FSn0  FSn1  FSn2」の上から１３行目には、DSX0のFSパターンである「０」(列２の上から１１行目)、DSX1のFSパターンである「１」(列２の上から１２行目)、およびDSX2のFSパターンである「２」(列２の上から１３行目)が、DSX2、DSX1、DSX0の順番で、「２１０」と示されている。
【０４００】
図２８および図２９においては、以下も同様に、列４「FSn0  FSn1  FSn2」の上からｎ行目（ただし、図２８および図２９を通して行番号をふった場合）には、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン」の順番で示されている。なお、nは２５までである。
【０４０１】
図２８および図２９の表の列５「FSn0  FSn1  FSn2  FSn3」には、列２に示されているFSパターンが、４つ並んだ場合の数字が示されている。すなわち、図２８の列５「FSn0  FSn1  FSn2  FSn3」の上から４行目には、PrA0のFSパターンである「６」(列２の上から1行目)、PrA1のFSパターンである「６」(列２の上から２行目)、PrA2のFSパターンである「６」(列２の上から３行目)、およびPrA3のFSパターンである「６」(列２の上から４行目)が、PrA3、PrA2、PrA1、PrA0の順番で、「６６６６」と示されている。
【０４０２】
同様に、列５「FSn0  FSn1  FSn2  FSn3」の上から５行目には、PrA1のFSパターンである「６」(列２の上から２行目)、PrA2のFSパターンである「６」(列２の上から３行目)、PrA3のFSパターンである「６」(列２の上から４行目)、およびPrA4のFSパターンである「２」(列２の上から５行目)が、PrA4、PrA3、PrA2、PrA1の順番で、「２６６６」と示されている。
【０４０３】
同様に、列５「FSn0  FSn1  FSn2  FSn3」の上から６行目には、PrA2のFSパターンである「６」(列２の上から３行目)PrA3のFSパターンである「６」(列２の上から４行目)、PrA4のFSパターンである「２」(列２の上から５行目)、およびPrA5のFSパターンである「５」(列２の上から６行目)が、PrA5、PrA4、PrA3、PrA2の順番で、「５２６６」と示されている。
【０４０４】
同様に、列５「FSn0  FSn1  FSn2  FSn3」の上から７行目には、PrA3のFSパターンである「６」(列２の上から４行目)、PrA4のFSパターンである「２」(列２の上から５行目)、PrA5のFSパターンである「５」(列２の上から６行目)、およびPrA6のFSパターンである「６」(列２の上から７行目)が、PrA6、PrA5、PrA4、PrA3の順番で、「６５２６」と示されている。
【０４０５】
同様に、列５「FSn0  FSn1  FSn2  FSn3」の上から８行目には、PrA4のFSパターンである「２」(列２の上から５行目)、PrA5のFSパターンである「５」(列２の上から６行目)、PrA6のFSパターンである「６」(列２の上から７行目)、およびPrA7のFSパターンである「５」(列２の上から８行目)が、PrA7、PrA6、PrA5、PrA4の順番で、「５６５２」と示されている。
【０４０６】
同様に、列５「FSn0  FSn1  FSn2  FSn3」の上から９行目には、PrA5のFSパターンである「５」(列２の上から６行目)、PrA6のFSパターンである「６」(列２の上から７行目)、PrA7のFSパターンである「５」(列２の上から８行目)、およびPrA8のFSパターンである「１」(列２の上から９行目)が、PrA8、PrA7、PrA6、PrA5の順番で、「１５６５」と示されている。
【０４０７】
同様に、列５「FSn0  FSn1  FSn2  FSn3」の上から１０行目には、PrA6のFSパターンである「６」(列２の上から７行目)、PrA7のFSパターンである「５」(列２の上から８行目)、PrA8のFSパターンである「１」(列２の上から９行目)、およびPrA9のFSパターンである「６」(列２の上から１０行目)が、PrA9、PrA8、PrA7、PrA6の順番で、「６１５６」と示されている。
【０４０８】
同様に、列５「FSn0  FSn1  FSn2  FSn3」の上から１１行目には、PrA7のFSパターンである「５」(列２の上から８行目)、PrA8のFSパターンである「１」(列２の上から９行目)、PrA9のFSパターンである「６」(列２の上から１０行目)、およびDSX0のFSパターンである「０」(列２の上から１１行目)が、DSX0、PrA9、PrA8、PrA7の順番で、「０６１５」と示されている。
【０４０９】
同様に、列５「FSn0  FSn1  FSn2  FSn3」の上から１２行目には、PrA8のFSパターンである「１」(列２の上から９行目)、PrA9のFSパターンである「６」(列２の上から１０行目)、DSX0のFSパターンである「０」(列２の上から１１行目)、およびDSX1のFSパターンである「１」(列２の上から１２行目)が、DSX1、DSX0、PrA9、PrA8の順番で、「１０６１」と示されている。
【０４１０】
同様に、列５「FSn0  FSn1  FSn2  FSn3」の上から１３行目には、PrA9のFSパターンである「６」(列２の上から１０行目)、DSX0のFSパターンである「０」(列２の上から１１行目)、DSX1のFSパターンである「１」(列２の上から１２行目)、およびDSX2のFSパターンである「２」(列２の上から１３行目)が、DSX2、DSX1、DSX0、PrA9の順番で、「２１０６」と示されている。
【０４１１】
図２８および図２９においては、以下も同様に、列５「FSn0  FSn1  FSn2  FSn3」の上からｎ行目（ただし、図２８および図２９を通して行番号をふった場合）には、列２の上からｎ-3行目のFSパターン、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン、列２の上からｎ-3行目のFSパターン」の順番で示されている。なお、nは２５までである。
【０４１２】
図２８および図２９の表の列６「FSn0  FSn1  FSn3  FSn4」には、列２に示されているFSパターンが、４つ並んだ場合の数字が示されている。すなわち、列６「FSn0  FSn1  FSn3  FSn4」の上から５行目には、PrA0のFSパターンである「６」(列２の上から1行目)、PrA1のFSパターンである「６」(列２の上から２行目)、PrA3のFSパターンである「６」(列２の上から４行目)、およびPrA4のFSパターンである「２」(列２の上から５行目)が、PrA4、PrA3、PrA1、PrA0の順番で、「２６６６」と示されている。
【０４１３】
同様に、列６「FSn0  FSn1  FSn3  FSn4」の上から６行目には、PrA1のFSパターンである「６」(列２の上から２行目)、PrA2のFSパターンである「６」(列２の上から３行目)、PrA4のFSパターンである「２」(列２の上から５行目)、およびPrA5のFSパターンである「５」(列２の上から６行目)が、PrA5、PrA4、PrA2、PrA1の順番で、「５２６６」と示されている。
【０４１４】
同様に、列６「FSn0  FSn1  FSn3  FSn4」の上から７行目には、PrA2のFSパターンである「６」(列２の上から３行目)、PrA3のFSパターンである「６」(列２の上から４行目)、PrA5のFSパターンである「５」(列２の上から６行目)、およびPrA6のFSパターンである「６」(列２の上から７行目)が、PrA6、PrA5、PrA3、PrA2の順番で、「６５６６」と示されている。
【０４１５】
同様に、列６「FSn0  FSn1  FSn3  FSn4」の上から８行目には、PrA3のFSパターンである「６」(列２の上から４行目)、PrA4のFSパターンである「２」(列２の上から５行目)、PrA6のFSパターンである「６」(列２の上から７行目)、およびPrA7のFSパターンである「５」(列２の上から８行目)が、PrA7、PrA6、PrA4、PrA3の順番で、「５６２６」と示されている。
【０４１６】
同様に、列６「FSn0  FSn1  FSn3  FSn4」の上から９行目には、PrA4のFSパターンである「２」(列２の上から５行目)、PrA5のFSパターンである「５」(列２の上から６行目)、PrA7のFSパターンである「５」(列２の上から８行目)、およびPrA8のFSパターンである「１」(列２の上から９行目)が、PrA8、PrA7、PrA5、PrA4の順番で、「１５５２」と示されている。
【０４１７】
同様に、列６「FSn0  FSn1  FSn3  FSn4」の上から１０行目には、PrA5のFSパターンである「５」(列２の上から６行目)、PrA6のFSパターンである「６」(列２の上から７行目)、PrA8のFSパターンである「１」(列２の上から９行目)、およびPrA9のFSパターンである「６」(列２の上から１０行目)が、PrA9、PrA8、PrA6、PrA5の順番で、「６１６５」と示されている。
【０４１８】
同様に、列６「FSn0  FSn1  FSn3  FSn4」の上から１１行目には、PrA6のFSパターンである「６」(列２の上から７行目)、PrA7のFSパターンである「５」(列２の上から８行目)、PrA9のFSパターンである「６」(列２の上から１０行目)、およびDSX0のFSパターンである「０」(列２の上から１１行目)が、DSX0、PrA9、PrA7、PrA6の順番で、「０６５６」と示されている。
【０４１９】
同様に、列６「FSn0  FSn1  FSn3  FSn4」の上から１２行目には、PrA7のFSパターンである「５」(列２の上から８行目)、PrA8のFSパターンである「１」(列２の上から９行目)、DSX0のFSパターンである「０」(列２の上から１１行目)、およびDSX1のFSパターンである「１」(列２の上から１２行目)が、DSX1、DSX0、PrA8、PrA7の順番で、「１０１５」と示されている。
【０４２０】
同様に、列６「FSn0  FSn1  FSn3  FSn4」の上から１３行目には、PrA8のFSパターンである「１」(列２の上から９行目)、PrA9のFSパターンである「６」(列２の上から１０行目)、DSX1のFSパターンである「１」(列２の上から１２行目)、およびDSX2のFSパターンである「２」(列２の上から１３行目)が、DSX2、DSX1、PrA9、PrA8の順番で、「２１６１」と示されている。
【０４２１】
図２８および図２９においては、以下も同様に、列６「FSn0  FSn1  FSn3  FSn4」の上からｎ行目（ただし、図２８および図２９を通して行番号をふった場合）には、列２の上からｎ-4行目のFSパターン、列２の上からｎ-3行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-3行目のFSパターン、列２の上からｎ-4行目のFSパターン」の順番で示されている。なお、nは２５までである。
【０４２２】
図３０および図３１の表の列３「FSn0  FSn1」には、列２に示されているFSパターンが、２つ並んだ場合の数字が示されている。すなわち、列３「FSn0  FSn1」の上から１行目には、直前のデータセクタのDSX25のFSパターンである「６」(図２９、または図３１の列２の上から１５行目)、およびDSX0のFSパターンである「０」(図３０の列２の上から１行目)が、DSX0、DSX25の順番で、「０６」と示されている。
【０４２３】
同様に、図３０の列３「FSn0  FSn1」の上から２行目には、DSX0のFSパターンである「０」(列２の上から１行目)、およびDSX1のFSパターンである「１」(列２の上から２行目)が、DSX1、DSX0の順番で、「１０」と示されている。
【０４２４】
同様に、列３「FSn0  FSn1」の上から３行目には、DSX1のFSパターンである「１」(列２の上から２行目)、およびDSX2のFSパターンである「２」(列２の上から３行目)が、DSX2、DSX1の順番で、「２１」と示されている。
【０４２５】
図３０および図３１においては、以下も同様に、列３「FSn0  FSn1」の上からｎ行目（ただし図３０および図３１を通して行番号をふった場合）には、列２の上からｎ-1行目のFSパターン、および列２の上からｎ行目のFSパターンが、「列２の上からｎ行目のFSパターン、列２の上からｎ-1行目のFSパターン」の順番で示されている。ただし、nは２５までである。
【０４２６】
図３０および図３１の表の列４「FSn0  FSn1  FSn2」には、列２に示されているFSパターンが、３つ並んだ場合の数字が示されている。すなわち、列４「FSn0  FSn1  FSn2」の上から１行目には、直前のデータセクタのDSX24のFSパターンである「２」(図２９、または図３１の列２の上から１４行目)、DSX25のFSパターンである「６」(図２９、または図３１の列２の上から１５行目)、およびDSX0のFSパターンである「０」(図３０の列２の上から１行目)が、DSX0、DSX25、DSX24の順番で、「０６２」と示されている。
【０４２７】
同様に、図３０の列４「FSn0  FSn1  FSn2」の上から２行目には、DSX25のFSパターンである「６」(図２９、または図３１の列２の上から１５行目)、DSX0のFSパターンである「０」(図３０の列２の上から１行目)、およびDSX1のFSパターンである「１」(図３０の列２の上から２行目)が、DSX1、DSX0、DSX25の順番で、「１０６」と示されている。
【０４２８】
同様に、図３０の列４「FSn0  FSn1  FSn2」の上から３行目には、DSX0のFSパターンである「０」(列２の上から１行目)、DSX1のFSパターンである「１」(列２の上から２行目)、およびDSX2のFSパターンである「２」(列２の上から３行目)が、DSX2、DSX1、DSX0の順番で、「２１０」と示されている。
【０４２９】
図３０および図３１においては、以下も同様に、列４「FSn0  FSn1  FSn2」の上からｎ行目（ただし図３０および図３１を通して行番号をふった場合）には、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン」の順番で示されている。なお、nは２５までである。
【０４３０】
図３０および図３１の表の列５「FSn0  FSn1  FSn2  FSn3」には、列２に示されているFSパターンが、４つ並んだ場合の数字が示されている。すなわち、列５「FSn0  FSn1  FSn2  FSn3」の上から１行目には、DSX23のFSパターンである「５」(図２９、または図３１の列２の上から１３行目)、DSX24のFSパターンである「２」(図２９、または図３１の列２の上から１４行目)、DSX25のFSパターンである「６」(図２９、または図３１の列２の上から１５行目)、およびDSX0のFSパターンである「０」(図３０の列２の上から１行目)が、DSX0、DSX25、DSX24、DSX23の順番で、「０６２５」と示されている。
【０４３１】
同様に、列５「FSn0  FSn1  FSn2  FSn3」の上から２行目には、DSX24のFSパターンである「２」(図２９、または図３１の列２の上から１４行目)、DSX25のFSパターンである「６」(図２９、または図３１の列２の上から１５行目)、DSX0のFSパターンである「０」(図３０の列２の上から１行目)、およびDSX1のFSパターンである「１」(図３０の列２の上から２行目)が、DSX1、DSX0、DSX25、DSX24の順番で、「１０６２」と示されている。
【０４３２】
同様に、列５「FSn0  FSn1  FSn2  FSn3」の上から３行目には、DSX25のFSパターンである「６」(図２９、または図３１の列２の上から１５行目)、DSX0のFSパターンである「０」(図３０の列２の上から１行目)、DSX1のFSパターンである「１」(図３０の列２の上から２行目)、およびDSX2のFSパターンである「２」(図３０の列２の上から３行目)が、DSX2、DSX1、DSX0、DSX25の順番で、「２１０６」と示されている。
【０４３３】
図３０および図３１においては、以下も同様に、列５「FSn0  FSn1  FSn2  FSn3」の上からｎ行目（ただし、図３０および図３１を通して行番号をふった場合）には、列２の上からｎ-3行目のFSパターン、列２の上からｎ-2行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-2行目のFSパターン、列２の上からｎ-3行目のFSパターン」の順番で示されている。なお、nは２５までである。
【０４３４】
図３０および図３１の表の列６「FSn0  FSn1  FSn3  FSn4」には、列２に示されているFSパターンが、４つ並んだ場合の数字が示されている。すなわち、列６「FSn0  FSn1  FSn3  FSn4」の上から１行目には、DSX22のFSパターンである「３」(図２９、または図３１の上から１２行目)、DSX23のFSパターンである「５」(図２９、または図３１の上から１３行目)、DSX25のFSパターンである「６」(図２９、または図３１の上から１５行目)、およびDSX0のFSパターンである「０」(図３０の列２の上から１行目)が、DSX0、DSX25、DSX23、DSX22の順番で、「０６５３」と示されている。
【０４３５】
同様に、図３０の列６「FSn0  FSn1  FSn3  FSn4」の上から２行目には、DSX23のFSパターンである「５」(図２９、または図３１の列２の上から１３行目)、DSX24のFSパターンである「２」(図２９、または図３１の列２の上から１４行目)、DSX0のFSパターンである「０」(図３０の列２の上から１行目)、およびDSX1のFSパターンである「１」(図３０の列２の上から２行目)が、DSX1、DSX0、DSX24、DSX23の順番で、「１０２５」と示されている。
【０４３６】
同様に、図３０の列６「FSn0  FSn1  FSn3  FSn4」の上から３行目には、DSX24のFSパターンである「２」(図２９、または図３１の列２の上から１４行目)、DSX25のFSパターンである「６」(図２９、または図３１の列２の上から１５行目)、DSX1のFSパターンである「１」(図３０の列２の上から２行目)、およびDSX2のFSパターンである「２」(図３０の列２の上から３行目)が、DSX2、DSX1、DSX25、DSX24の順番で、「２１６２」と示されている。
【０４３７】
図３０および図３１においては、以下も同様に、列６「FSn0  FSn1  FSn3  FSn4」の上からｎ行目（ただし、図３０および図３１を通して行番号をふった場合）には、列２の上からｎ-4行目のFSパターン、列２の上からｎ-3行目のFSパターン、列２の上からｎ-1行目のFSパターン、および列２の上からｎ行目のFSパターンが、「列２の上からｎ行目のFSパターン、列２の上からｎ-1行目のFSパターン、列２の上からｎ-3行目のFSパターン、列２の上からｎ-4行目のFSパターン」の順番で示されている。なお、nは２５までである。
【０４３８】
以上のような、図２８乃至図３１の表を参照しつつ、1-7ｐｐ復調部２６にMD-data2で相当する復調部の、プリアンブルフレーム番号候補抽出部５５、およびデータフレーム番号候補抽出部５６は、フレーム番号の候補を検索する。なお、1-7ｐｐ復調部２６にMD-data2で相当する復調部における、類似フォーマットのフレーム番号決定までの処理の基本的な内容は、図２１乃至図２４を参照して上述した処理と同様である。ただし、シフトレジスタ５１は、２４ビットのシフトレジスタである。
【０４３９】
また、レジスタ５４−１は、FSパターン比較部５３において検出されたFSパターン(以下、FSn0と称する)の先頭から１フレーム分(1134ビット)前に再生されたFSパターン(以下、FSn1と称する)を出力し、レジスタ５４−２は、検出されたデータFSn0の先頭から２フレーム分(2268ビット)前に再生されたFSパターン(以下、FSn2と称する)を出力し、レジスタ５４−３は、検出されたデータFSn0の先頭から３フレーム分(3402ビット)前に再生されたFSパターン(以下、FSn3と称する)を出力し、レジスタ５４−４は、検出されたデータFSn0の先頭から４フレーム分(4536ビット)前に再生されたFSパターン(以下、FSn4と称する)を出力する。
【０４４０】
ところで、本発明を適用した光ディスク装置１により記録されるデータのフォーマットは、デジタルビデオレコーダ(DVR)によるデータの記録フォーマット(以下、DVRフォーマットと称する)と、データ部のフレームシンクの並び順が同様であるため、DVRフォーマットと、データ部において、フレームシンクのチャネルビットパターンを共用することができる。ここで、DVRフォーマットについて、図３２および図３３を参照しつつ説明する。
【０４４１】
図３２は、DVRフォーマットにおけるフレームシンクの構造を示している。図３２に示されるように、DVRフォーマットのFSパターンは、図６に示した本発明を適用したフォーマットにおけるFSパターンから、FS７を除いた構成になっている。すなわち、図３２に示されている、FS0乃至FS6の構成は、図６に示されているFS0乃至FS6の構成と同一になっている。
【０４４２】
図３３は、DVRフォーマットにおけるデータ部のFSパターンの並び順を示している。図３３に示されている並び順は、図５Ｃに示されている本発明を適用したフォーマットにおけるFSパターンの並び順と同一になっている。
【０４４３】
図３２および図３３に示されるように、本発明のフォーマットのデータ部におけるフレームシンクの構造は、DVRフォーマットのデータ部におけるフレームシンクの構造と同様になっている。このようにすることにより、本発明のフォーマットにおいては、DVRフォーマットと、データ部におけるフレームシンクのビットパターン、およびフレームシンクの並び順を共用することが可能となる。
【０４４４】
したがって、本発明の記録媒体によれば、データ部の処理を、DVRの変復調回路と共用することが可能となる。
【０４４５】
上述した一連の処理は、ハードウエアにより実行させることもできるが、ソフトウエアにより実行させることもできる。この場合、例えば、光ディスク装置１は、図３４に示されるような汎用のパーソナルコンピュータにより構成される。
【０４４６】
図３４において、CPU１０１は、ROM１０２に記憶されているプログラム、または記憶部１０８からRAM１０３にロードされたプログラムに従って各種の処理を実行する。RAM１０３にはまた、CPU１０１が各種の処理を実行する上において必要なデータなども適宜記憶される。
【０４４７】
CPU１０１、ROM１０２、およびRAM１０３は、バス１０４を介して相互に接続されている。このバス１０４にはまた、入出力インターフェース１０５も接続されている。
【０４４８】
入出力インターフェース１０５には、キーボード、マウスなどよりなる入力部１０６、ディスプレイなどよりなる出力部１０７、ハードディスクなどより構成される記憶部１０８、モデム、ターミナルアダプタなどより構成される通信部１０９が接続されている。通信部１０９は、インターネットを含むネットワークを介しての通信処理を行う。
【０４４９】
入出力インターフェース１０５にはまた、必要に応じてドライブ１１０が接続され、磁気ディスク１２１、光ディスク１２２、光磁気ディスク１２３、或いは半導体メモリ１２４などが適宜装着され、それらから読み出されたコンピュータプログラムが、必要に応じて記憶部１０８にインストールされる。
【０４５０】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０４５１】
この記録媒体は、図３４に示されるように、装置本体とは別に、ユーザにプログラムを供給するために配布される、プログラムが記憶されている磁気ディスク１２１（フロッピディスクを含む）、光ディスク１２２（CD-ROM(Compact Disk-Read Only Memory),DVD(Digital Versatile Disk)を含む）、光磁気ディスク１２３（ＭＤ（Mini-Disk）を含む）、もしくは半導体メモリ１２４などよりなるパッケージメディアにより構成されるだけでなく、装置本体に予め組み込まれた状態でユーザに供給される、プログラムが記憶されているROM１０２や、記憶部１０８に含まれるハードディスクなどで構成される。
【０４５２】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０４５３】
【発明の効果】
以上のごとく、本発明によれば、再生位置を容易に検出することができる。
【図面の簡単な説明】
【図１】本発明を適用した光ディスク装置の構成例を示すブロック図である。
【図２】図１の光ディスク装置の光磁気ディスクへのデータの記録処理を説明するフローチャートである。
【図３】光磁気ディスクに記録されているデータのフォーマットの一例を示す図である。
【図４】図３に示すデータの１データセクタ分のフォーマットを示す図である。
【図５】図３に示すデータの同期パターンの並び順の例を示す図である。
【図６】同期パターンの構造の一例を示す図である。
【図７】同期パターンの構造の他の一例を示す図である。
【図８】同期パターンの構造の、さらに他の一例を示す図である。
【図９】図１の光ディスク装置の光磁気ディスクからのデータの再生処理を説明するフローチャートである。
【図１０】図１の光ディスク装置における1-7ｐｐ復調部の一部の詳細な構成を示す図である。
【図１１】プリアンブルフレーム番号候補抽出部のpasq2抽出処理を説明するフローチャートである。
【図１２】プリアンブルフレーム番号候補抽出部のpasq3抽出処理を説明するフローチャートである。
【図１３】プリアンブルフレーム番号候補抽出部のpasq4抽出処理を説明するフローチャートである。
【図１４】プリアンブルフレーム番号候補抽出部のpasq54抽出処理を説明するフローチャートである。
【図１５】データフレーム番号候補抽出部のfrsq2抽出処理を説明するフローチャートである。
【図１６】データフレーム番号候補抽出部のfrsq3抽出処理を説明するフローチャートである。
【図１７】データフレーム番号候補抽出部のfrsq4抽出処理を説明するフローチャートである。
【図１８】データフレーム番号候補抽出部のfrsq54抽出処理を説明するフローチャートである。
【図１９】ロックモード生成部のロックモード生成処理を説明するフローチャートである。
【図２０】フレーム番号決定部のフレーム番号決定処理を説明するフローチャートである。
【図２１】フレーム番号決定に利用されるデータの例を示す図である。
【図２２】フレーム番号決定に利用される、図２１に続くデータの例を示す図である。
【図２３】フレーム番号決定に利用されるデータの例を示す図である。
【図２４】フレーム番号決定に利用される、図２３に続くデータの例を示す図である。
【図２５】光磁気ディスクで再生可能なデータのフォーマットの一例を示す図である。
【図２６】図１２に示すデータの１データセクタ分のフォーマットを示す図である。
【図２７】図１２に示すデータの同期パターンの並び順の例を示す図である。
【図２８】フレーム番号決定に利用されるデータの例を示す図である。
【図２９】フレーム番号決定に利用される、図２８に続くデータの例を示す図である。
【図３０】フレーム番号決定に利用されるデータの例を示す図である。
【図３１】フレーム番号決定に利用される、図３０に続くデータの例を示す図である。
【図３２】  DVRフォーマットにおける同期パターンの構造を説明する図である。
【図３３】  DVRフォーマットにおける同期パターンの並び順を説明する図である。
【図３４】本発明が適用される他の光ディスク装置の構成例を示すブロック図である。
【符号の説明】
１  光ディスク装置，  １１  外部インターフェース，  １２  バッファ，  １３  各種情報/EDCエンコード/付加部，  １４  スクランブル部，  １５  ECCエンコード部，  １６  変調部，  １７  磁界変調ドライバ，  １８  磁界用コイル  １９  光磁気ディスク，  ２０  ADIPデコーダ，  ２１  スピンドル制御部，  ２２  スピンドルモータ，  ２３  光ピックアップ，  ２４  RF処理部，２５  ビタビ復号部，  ２６  1-7ｐｐ復調部，  ２７  ECCデコード部，  ２８  デスクランブル部，  ２９  各種情報/EDCデコード部，  ３１  アンブルデータ生成部，  ３２  遅延部，  ３３  DSV決定演算部，  ３４  DSVビット付加部，  ３５  １−７ｐｐ変調部，  ３６  FSパターン付加部，  ３７  NRZI変調部，  ５１  シフトレジスタ，  ５２  タイミング調整部，  ５３  FSパターン比較部，  ５４  レジスタ，  ５５  プリアンブルフレーム番号候補抽出部，  ５６  データフレーム番号候補抽出部，  ５７  ロックモード生成部，  ５８  フレーム番号決定部
【図１】
0004140249.tif 000002
【図２】
0004140249.tif 000003
【図３】
0004140249.tif 000004
【図４】
0004140249.tif 000005
【図５】
0004140249.tif 000006
【図６】
0004140249.tif 000007
【図７】
0004140249.tif 000008
【図８】
0004140249.tif 000009
【図９】
0004140249.tif 000010
【図１０】
0004140249.tif 000011
【図１１】
0004140249.tif 000012
【図１２】
0004140249.tif 000013
【図１３】
0004140249.tif 000014
【図１４】
0004140249.tif 000015
【図１５】
0004140249.tif 000016
【図１６】
0004140249.tif 000017
【図１７】
0004140249.tif 000018
【図１８】
0004140249.tif 000019
【図１９】
0004140249.tif 000020
【図２０】
0004140249.tif 000021
【図２１】
0004140249.tif 000022
【図２２】
0004140249.tif 000023
【図２３】
0004140249.tif 000024
【図２４】
0004140249.tif 000025
【図２５】
0004140249.tif 000026
【図２６】
0004140249.tif 000027
【図２７】
0004140249.tif 000028
【図２８】
0004140249.tif 000029
【図２９】
0004140249.tif 000030
【図３０】
0004140249.tif 000031
【図３１】
0004140249.tif 000032
【図３２】
0004140249.tif 000033
【図３３】
0004140249.tif 000034
【図３４】
0004140249.tif 000035